(57)【要約】      （修正有）【課題】ゴルフボールの飛距離に関わる回転量をコントロールするためのクラブヘッド溝形状。【解決手段】第１と第２のゴルフクラブヘッドは、クラブフェース部１１０を有するクラブヘッド本体１００を備え、クラブフェース部は、フェース面１１４と少なくとも１つのクラブ溝１１５を有する。第１のクラブヘッド溝の縁半径は、第２のクラブヘッド溝の縁半径よりも小さく、第１のクラブヘッド溝の底幅は、第２のクラブヘッド溝の底幅よりも小さく、第１のクラブヘッド溝の側壁角は、第２のクラブヘッド溝の側壁角よりも大きい。【選択図】図１
2020121136.tif 000002
【特許請求の範囲】
【請求項１】
ゴルフクラブヘッドのセットであって、前記セットは、
第１のゴルフクラブヘッドであって、
第１の上端部および前記第１の上端部の反対側にある第１の底端部と、
第１の前端部および前記第１の前端部の反対側にある第１の後端部と、
第１のトゥ端部および前記第１のトゥ端部の反対側にある第１のヒール端部と、
第１のクラブフェース部を有する第１のクラブ・ヘッド本体と、
第１のクラブシャフト軸であって、前記第１の上端部と前記第１の底端部の間で延在する第１のクラブ上底軸と、前記第１の前端部と第１の後端部の間で延在する第１のクラブ前後軸と、前記第１のヒール端部と前記第１のトゥ端部の間で延在する第１のクラブヒールトゥ軸と、を備える第１のクラブシャフト軸と、
第１のクラブアドレス構造と、
を備える、第１のゴルフクラブヘッドと、
第２のゴルフクラブヘッドであって、
第２の上端部および前記第２の上端部の反対側にある第２の底端部と、
第２の前端部および前記第２の前端部の反対側にある第２の後端部と、
第２のトゥ端部および前記第２のトゥ端部の反対側にある第２のヒール端部と、
第２のクラブフェース部を有する第２のクラブ・ヘッド本体と、
第２のクラブシャフト軸であって、前記第２の上端部と前記第２の底端部の間で延在する第２のクラブ上底軸と、前記第２の前端部と第２の後端部の間で延在する第２のクラブ前後軸と、前記第２のヒール端部と前記第２のトゥ端部の間で延在する第２のクラブヒールトゥ軸と、を備える第２のクラブシャフト軸と、
第２のクラブアドレス構造と、
を備える、第２のゴルフクラブヘッドと、
を備え、
前記第１のクラブフェース部は、第１のクラブフェース面と、少なくとも１つの第１のクラブ溝と、を有し、前記第１のクラブフェース部は、前記第１の前端部に位置し、
前記第１のクラブ上底軸、前記第１のクラブ前後軸、および前記第１のヒールトゥ軸は、互いに略垂直であり、
前記第１のゴルフクラブヘッドが、第１のクラブアドレス構造内に配置される場合に、
前記第１のクラブ上底軸は、第１のグランド平面に略垂直であり、
前記第１のゴルフクラブヘッドは、約５５度以上の第１のクラブロフト角を有し、
前記少なくとも１つの第１のクラブ溝の各第１のクラブ溝が、それぞれ、第１のクラブ溝底と、前記第１のクラブ溝底に隣接した第１のクラブ溝側壁と、第１のクラブ溝縁点と、前記第１のクラブ溝縁点における第１のクラブ溝縁半径と、前記第１のクラブ溝底に略垂直な第１のクラブ溝中心軸と、を有し、
前記少なくとも１つの第１のクラブ溝が、第１のクラブ交差平面において、前記第１のクラブ溝中心軸に対して線対称であり、前記第１のクラブ交差平面は、前記第１のクラブ上底軸と前記第１のクラブ前後軸によって形成される第１のクラブ交差平面に略平行であり、
前記第１のクラブ縁点が、３０度ルールを満たし、
前記第１のクラブ溝底が、前記第１のクラブフェース面に略平行であり、かつ、前記第１のクラブヒールトゥ軸に略垂直に延在する第１の溝底幅を有し、
前記第１のクラブ溝側壁が、前記第１のクラブ溝中心軸と第１のクラブ溝側壁角を形成し、
前記第２のクラブフェース部は、第２のクラブフェース面と、少なくとも１つの第２のクラブ溝と、を有し、前記第２のクラブフェース部は、前記第２の前端部に位置し、
前記第２のクラブ上底軸、前記第２のクラブ前後軸、及び前記第２のクラブヒールトゥ軸が、互いに略垂直であり、
前記第２のゴルフクラブヘッドが、前記第２のクラブアドレス構造内に配置されるときに、
前記第２のクラブ上底軸が、第２のグランド平面に略垂直であり、
前記第２のゴルフクラブヘッドが、約５５度未満の第２のクラブロフト角を有し、
前記少なくとも１つの第２のクラブ溝の各第２のクラブ溝が、それぞれ、第２のクラブ溝底と、前記第２のクラブ溝底に隣接した第２のクラブ溝側壁と、第２のクラブ溝縁点と、前記第２のクラブ溝縁点における第２のクラブ溝縁半径と、前記第２のクラブ溝底に略垂直な第２のクラブ溝中心軸と、を有し、
前記少なくとも１つの第２のクラブ溝が、第２のクラブ交差平面において、前記第２のクラブ溝中心軸に対して線対称であり、前記第２のクラブ交差平面は、前記第２のクラブ上底軸と前記第２のクラブ前後軸によって形成される第２の交差平面に略平行であり、
前記第２のクラブ縁点が、３０度ルールを満たし、
前記第２のクラブ溝底が、前記第２のフェース面に略平行であり、かつ、前記第２のクラブヒールトゥ軸に略垂直に延在する第２の溝底幅を有し、
前記第２のクラブ溝側壁が、前記第２のクラブ溝中心軸と第２のクラブ溝側壁角を形成し、
前記第１のクラブ溝縁半径が、前記第２のクラブ溝縁半径よりも小さく、
前記第１のクラブ溝幅が、前記第２のクラブ溝幅よりも小さい、又は、前記第１のクラブ溝側壁角が、前記第２のクラブ溝側壁角よりも大きい、のうちの少なくとも一方である、ゴルフクラブヘッドのセット。
【請求項２】
前記第１のクラブ溝縁半径が、約０．００７センチメートル以上かつ約０．０１５センチメートル以下である、請求項１に記載のゴルフクラブヘッドのセット。
【請求項３】
前記第１のクラブ溝縁半径が、約０．０１５センチメートル以上かつ約０．０２６センチメートル以下である、請求項１に記載のゴルフクラブヘッドのセット。
【請求項４】
前記第１のクラブ溝側壁角が、約２１度以上かつ約２７度以下である、請求項１に記載のゴルフクラブヘッドのセット。
【請求項５】
前記第１のクラブ溝側壁角が、約１３度以上かつ約１９度以下である、請求項１に記載のゴルフクラブヘッドのセット。
【請求項６】
前記少なくとも１つの第１のクラブ溝の各第１のクラブ溝が、それぞれ、前記第１のクラブフェース面と前記第１のクラブ溝底の間で測定される第１のクラブ溝深さを有し、
前記少なくとも１つの第１のクラブ溝の各第１のクラブ溝の前記第１のクラブ溝深さが、それぞれ、ほぼ等しい、請求項１から５のいずれか一項に記載のゴルフクラブヘッドのセット。
【請求項７】
前記第１のクラブ溝深さが、約０．０４センチメートルである、請求項６に記載のゴルフクラブヘッドのセット。
【請求項８】
前記少なくとも１つの第２のクラブ溝の各第２のクラブ溝が、それぞれ、前記第２のクラブフェース面と前記第２のクラブ溝底の間で測定される第２のクラブ溝深さを有し、
前記第１のクラブ溝深さが、前記第２のクラブ溝深さとほぼ等しい、請求項６又は７に記載のゴルフクラブヘッドのセット。
【請求項９】
前記少なくとも１つの第１のクラブ溝の各第１のクラブ溝が、それぞれ、前記第１のクラブ溝中心軸に略平行に、かつ、前記第１のクラブ溝縁点と前記第１のクラブフェース面の間で測定される第１のクラブ溝縁点深さを有し、
前記第１のクラブ溝縁点深さが、約０．００４センチメートルである、請求項１から８のいずれか一項に記載のゴルフクラブヘッドのセット。
【請求項１０】
前記少なくとも１つの第１のクラブ溝の各第１のクラブ溝が、それぞれ、前記第１のクラブ溝中心軸に略垂直に、かつ、前記第１のクラブ溝縁点と前記第１のクラブ溝中心軸の間で測定される第１のクラブ溝縁点幅を有し、
前記第１のクラブ溝縁点幅が、約０．０３７センチメートルである、請求項１から９のいずれか一項に記載のゴルフクラブヘッドのセット。
【請求項１１】
前記少なくとも１つの第１のクラブ溝が、複数の第１のクラブ溝を有し、
前記複数の第１のクラブ溝の隣接する第１のクラブ溝の前記第１のクラブ溝中心軸が、約０．３３０センチメートル以上かつ約０．３４５センチメートル以下の間隔を空けられる、請求項１から１０のいずれか一項に記載のゴルフクラブヘッドのセット。
【請求項１２】
前記少なくとも１つの第１のクラブ溝が、複数の第１のクラブ溝を有し、
前記複数の第１のクラブ溝の隣接する第１のクラブ溝の前記第１のクラブ溝中心軸が、約０．３４５センチメートル以上かつ約０．３６６センチメートル以下の間隔を空けられる、請求項１から１０のいずれか一項に記載のゴルフクラブヘッドのセット。
【請求項１３】
前記複数の第１のクラブ溝の隣接する第１のクラブ溝の前記第１のクラブ溝中心軸が、互いに略一定の間隔を空けられる、請求項１１又は１２に記載のゴルフクラブヘッドのセット。
【請求項１４】
前記第１のクラブロフト角が、約６５度以下である、請求項１から１３のいずれか一項に記載のゴルフクラブヘッドのセット。
【請求項１５】
ゴルフクラブヘッドのセットを提供する方法であって、前記方法は、
第１のゴルフクラブヘッドを提供することと、
第２のゴルフクラブヘッドを提供することと、
を備え、
前記第１のゴルフクラブヘッドを提供することが、前記第１のゴルフクラブヘッドの第１のクラブ・ヘッド本体を提供することを含み、
前記第１のクラブ・ヘッド本体を提供することが、前記第１のクラブ・ヘッド本体の第１のクラブフェース部を提供することを含み、前記第１のクラブフェース部は、前記第１の前端部に位置し、
前記第１のクラブフェース部を提供することが、前記第１のクラブフェース部の第１のクラブフェース面と、前記第１のクラブフェース部の少なくとも１つの第１のクラブ溝を提供することを含み、
前記第１のゴルフクラブヘッドが、
第１の上端部および前記第１の上端部の反対側にある第１の底端部と、
第１の前端部および前記第１の前端部の反対側にある第１の後端部と、
第１のトゥ端部および前記第１のトゥ端部の反対側にある第１のヒール端部と、
第１のクラブシャフト軸であって、前記第１の上端部と前記第１の底端部の間で延在する第１のクラブ上底軸と、前記第１の前端部と第１の後端部の間で延在する第１のクラブ前後軸と、前記第１のヒール端部と前記第１のトゥ端部の間で延在する第１のクラブヒールトゥ軸と、を備える第１のクラブシャフト軸と、
第１のクラブアドレス構造と、
を備え、
前記第１のクラブ上底軸、前記第１のクラブ前後軸、および前記第１のクラブヒールトゥ軸は、互いに略垂直であり、
前記第１のゴルフクラブヘッドが、第１のクラブアドレス構造内に配置される場合に、
前記第１のクラブ上底軸は、第１のグランド平面に略垂直であり、
前記第１のゴルフクラブヘッドは、約５５度以上かつ約６５度以下の第１のクラブロフト角を有し、
前記少なくとも１つの第１のクラブ溝の各第１のクラブ溝が、それぞれ、第１のクラブ溝底と、前記第１のクラブ溝底に隣接した第１のクラブ溝側壁と、第１のクラブ溝縁点と、前記第１のクラブ溝縁点における第１のクラブ溝縁半径と、前記第１のクラブ溝底に略垂直な第１のクラブ溝中心軸と、前記第１のクラブヒールトゥ軸に略平行に延在する第１のクラブ溝長さを有し、
前記第１のクラブ溝底が、前記第１のクラブフェース面に略平行であり、かつ、前記第１のクラブヒールトゥ軸に略垂直に延在する第１の溝底幅を有し、
前記第１のクラブ溝中心軸が、前記第１の溝底幅の第１の略中点と交差し、
前記少なくとも１つの第１のクラブ溝が、前記第１のクラブ溝長さの第１の大部分に沿って、前記第１のクラブ溝中心軸に対して略線対称であり、
前記第１のクラブ縁点が、３０度ルールを満たし、
前記第１のクラブ溝側壁が、前記第１のクラブ溝中心軸と第１のクラブ溝側壁角を形成し、
前記第２のゴルフクラブヘッドを提供することが、前記第２のゴルフクラブヘッドの第２のクラブ・ヘッド本体を提供することを含み、
前記第２のクラブ・ヘッド本体を提供することが、前記第２のクラブ・ヘッド本体の第２のクラブフェース部を提供することを含み、前記第２のクラブフェース部は、前記第２の前端部に位置し、
前記第２のクラブフェース部を提供することが、前記第２のクラブフェース部の第２のクラブフェース面と、前記第２のクラブフェース部の少なくとも１つの第２のクラブ溝を提供することを含み、
前記第２のゴルフクラブヘッドが、
第２の上端部および前記第２の上端部の反対側にある第２の底端部と、
第２の前端部および前記第２の前端部の反対側にある第２の後端部と、
第２のトゥ端部および前記第２のトゥ端部の反対側にある第２のヒール端部と、
第２のクラブシャフト軸であって、前記第２の上端部と前記第２の底端部の間で延在する第２のクラブ上底軸と、前記第２の前端部と第２の後端部の間で延在する第２のクラブ前後軸と、前記第２のヒール端部と前記第２のトゥ端部の間で延在する第２のクラブヒールトゥ軸と、を備える第２のクラブシャフト軸と、
第２のクラブアドレス構造と、
を備え、
前記第２のクラブ上底軸、前記第２のクラブ前後軸、および前記第２のクラブヒールトゥ軸は、互いに略垂直であり、
前記第２のゴルフクラブヘッドが、第２のクラブアドレス構造内に配置される場合に、
前記第２のクラブ上底軸は、第２のグランド平面に略垂直であり、
前記第２のゴルフクラブヘッドは、約５５度未満の第２のクラブロフト角を有し、
前記少なくとも１つの第２のクラブ溝の各第２のクラブ溝が、それぞれ、第２のクラブ溝底と、前記第２のクラブ溝底に隣接した第２のクラブ溝側壁と、第２のクラブ溝縁点と、前記第２のクラブ溝縁点における第２のクラブ溝縁半径と、前記第２のクラブ溝底に略垂直な第２のクラブ溝中心軸と、前記第２のクラブヒールトゥ軸に略平行に延在する第２のクラブ溝長さを有し、
前記第２のクラブ溝底が、前記第２のクラブフェース面に略平行であり、かつ、前記第２のクラブヒールトゥ軸に略垂直に延在する第２の溝底幅を有し、
前記第２のクラブ溝中心軸が、前記第２の溝底幅の第２の略中点と交差し、
前記少なくとも１つの第２のクラブ溝が、前記第２のクラブ溝長さの第２の大部分に沿って、前記第２のクラブ溝中心軸に対して略線対称であり、
前記第２のクラブ縁点が、３０度ルールを満たし、
前記第２のクラブ溝側壁が、前記第２のクラブ溝中心軸と第２のクラブ溝側壁角を形成し、
前記第１のクラブ溝縁半径が、前記第２のクラブ溝半径よりも小さく、
前記第１のクラブ溝底幅が、前記第２のクラブ溝底幅よりも小さい、又は、前記第１のクラブ溝側壁角が、前記第２のクラブ溝側壁角よりも大きい、のうちの少なくとも一方である、方法。
【請求項１６】
前記第１のクラブ溝縁半径が、約０．００７センチメートル以上かつ約０．０１５センチメートル以下である、請求項１５に記載の方法。
【請求項１７】
前記第１のクラブ溝縁半径が、約０．００７センチメートル以上かつ約０．０１５センチメートル以下であり、
前記第１のクラブ溝側壁角が、約２１度以上かつ約２７度以下である、請求項１５に記載の方法。
【請求項１８】
前記第１のクラブ溝側壁角が、約２１度以上かつ約２７度以下である、請求項１５に記載の方法。
【請求項１９】
前記第１のクラブ溝側壁角が、約１３度以上かつ約１９度以下である、請求項１５に記載の方法。
【請求項２０】
前記少なくとも１つの第１のクラブ溝の各第１のクラブ溝が、それぞれ、前記第１のクラブフェース面と前記第１のクラブ溝底の間で測定される第１のクラブ溝深さを有し、
前記少なくとも１つの第１のクラブ溝の各第１のクラブ溝の前記第１のクラブ溝深さが、それぞれ、ほぼ等しい、請求項１５から１９のいずれか一項に記載の方法。
【請求項２１】
ゴルフクラブヘッドのセットであって、前記セットは、
第１のクラブフェース部を有する第１のクラブ・ヘッド本体を備える第１のゴルフクラブヘッドと、
第２のクラブフェース部を有する第２のクラブ・ヘッド本体を備える第２のゴルフクラブヘッドと、
を備え、
前記第１のクラブフェース部が、第１のクラブフェース面と、少なくとも１つの第１のクラブ溝と、を有し、
前記第１のゴルフクラブヘッドが、約５５度以上の第１のクラブロフト角を有し、
前記少なくとも１つの第１のクラブ溝の各第１のクラブ溝が、それぞれ、第１のクラブ溝底と、前記第１のクラブ溝底に隣接した第１のクラブ溝側壁と、第１のクラブ溝縁点と、前記第１のクラブ溝縁点における第１のクラブ溝縁半径と、前記第１のクラブ溝底に略垂直な第１のクラブ溝中心軸と、を有し、
前記第１のクラブ溝底が、第１の溝底幅を有し、
前記第１のクラブ溝側壁が、第１のクラブ溝側壁角を形成し、
前記第２のクラブフェース部が、第２のクラブフェース面と、少なくとも１つの第２のクラブ溝と、を有し、
前記第２のゴルフクラブヘッドが、約５５度未満の第２のクラブロフト角を有し、
前記少なくとも１つの第２のクラブ溝の各第２のクラブ溝が、それぞれ、第２のクラブ溝底と、前記第２のクラブ溝底に隣接した第２のクラブ溝側壁と、第２のクラブ溝縁点と、前記第２のクラブ溝縁点における第２のクラブ溝縁半径と、前記第２のクラブ溝底に略垂直な第２のクラブ溝中心軸と、を有し、
前記第２のクラブ溝底が、第２の溝底幅を有し、
前記第２のクラブ溝側壁が、第２のクラブ溝側壁角を形成し、
前記第１のクラブ溝縁半径が、前記第２のクラブ溝縁半径よりも小さく、
前記第１のクラブ溝底幅が、前記第２のクラブ溝底幅よりも小さい、又は、前記第１のクラブ溝側壁角が、前記第２のクラブ溝側壁角よりも大きい、のうちの少なくとも一方である、ゴルフクラブヘッドのセット。
【発明の詳細な説明】
【技術分野】
【０００１】
（関連出願）
本出願は、２０１４年８月２６日に出願された米国特許仮出願第６２／０４２，１６４号の利益を主張する。米国特許仮出願第６２／０４２，１６４号は、その全体が参照により本明細書に組み込まれている。
【０００２】
本開示は、一般に、スポーツ用品に関し、より詳細には、ゴルフクラブヘッドおよび関連の方法に関する。
【背景技術】
【０００３】
一定の状況においては、ゴルフクラブで打たれたゴルフボールに回転を加えることが望ましい場合がある。例えば、ゴルフボールの飛距離を減少させたいときは、ゴルフボールに回転量を増加させることは望ましいかもしれない。チップショット（例えば、３５〜４０メートル以下の距離にゴルフボールを打つ）のとき、このことは特に当てはまるかもしれない。一般的に、比較的高いロフト角（例えば、ロフト角が４５度以上かつ６５度以下）を有するゴルフクラブで、比較的短い距離のショットを打つことが実現される。
【図面の簡単な説明】
【０００４】
実施形態のさらなる説明を容易にするために、以下の図面が提供される。
【０００５】
【図１】実施形態による、クラブ・ヘッドの前面図である。
【０００６】
【図２】図１のクラブ・ヘッドのヒール側の図である。
【０００７】
【図３】図１のクラブ・ヘッドの背面図である。
【０００８】
【図４】図１のクラブ・ヘッドの一部の断面図を示しており、その断面図は、図１中の切断線１−１における断面図であり、クラブ・ヘッドの溝の断面を示す。
【０００９】
【図５】アイアン・タイプのゴルフクラブヘッドのロフト角に応じた、一定の溝縁半径を有する溝を備えるアイアン・タイプのゴルフクラブヘッドのセットによりゴルフボールに加えられた回転量を１分当たりの回転数として図示している。
【００１０】
【図６】様々な溝縁半径を有するアイアン・タイプのゴルフクラブヘッドについて、複数の飛距離に対するゴルフボールに加えられた回転量を１分当たりの回転数として図示している。
【００１１】
【図７】アイアン・タイプのゴルフクラブヘッドのロフト角及び溝縁半径に応じた、アイアン・タイプのゴルフクラブヘッドのセットに対するゴルフボールに加えられた回転量を１分当たりの回転数で図示している。
【００１２】
【図８】ゴルフクラブヘッドのセットを提供（例えば、製造）する方法の実施形態を図示している。
【００１３】
【図９】図８の実施形態による、第１のゴルフクラブヘッドの第１のクラブ・ヘッド本体の第１のクラブフェース部を提供する例示的作業を図示している。
【００１４】
【図１０】図８の実施形態による、第１のクラブフェース部の少なくとも１つの第１のクラブ溝を提供する例示的作業を図示している。
【００１５】
【図１１】図８の実施形態による、第１のゴルフクラブヘッドの第２のクラブ・ヘッド本体の第２のクラブフェース部を提供する例示的作業を図示している。
【００１６】
【図１２】図８の実施形態による、第２のクラブフェース部の少なくとも１つの第２のクラブ溝を提供する例示的作業を図示している。
【００１７】
例証の簡素性および明確性のために、図表は構造物の概略的様式を例証し、公知の特性および技術の、説明および詳細は、本開示を不必要に曖昧にすることを避けるために、省略され得る。さらに、図表内の要素は、必ずしも正しい縮尺で描かれない。例えば、本開示の実施形態の理解の改善に役立つために、図内の要素のいくつかの寸法は、他の要素に対して誇張されてよい。異なる図における同じ参照番号は、同じ要素を示す。
【００１８】
説明内および請求項内の、「第１の」、「第２の」、「第３の」、「第４の」等の用語は、もしあれば、類似する要素の区別に使用され、必ずしも特定の逐次的または経時的順序の記載に使用されない。そのように使用される用語は、適切な状況下では交換可能であり、よって、本明細書に記載される実施形態は、例えば、本明細書に例証されるまたは他の方法で記載されるものとは異なる順序で操作可能である。さらに、「含む」および「有する」という用語ならびにそれらの任意の変化形は、非排他的包含を網羅することが意図され、よって、要素の一覧を含む、プロセス、方法、システム、物品、デバイス、もしくは装置が、それらの要素に必ずしも限られず、明示的に列記されない、または、かかるプロセス、方法、システム、物品、デバイス、もしくは装置に固有の他の要素を含んでよい。
【００１９】
説明内および請求項内の、「左」、「右」、「前」、「後」、「上部」、「下部」、「〜の上」、「〜の下」等の用語は、もしあれば、説明目的に使用され、必ずしも永久相対位置を説明するために使用されない。そのように使用される用語は、適切な条件下では交換可能であり、よって、本明細書に記載される装置、方法、および／または製造物品の実施形態は、例えば、本明細書に例証されるまたは他の方法で記載されるものとは別の配向で操作可能である。
【００２０】
「連結」、「連結される」、「連結する」、「連結すること」等の用語は、広範に理解されるべきであり、２つ以上の要素を機械的におよび／または別の方法で接続することを指す。２つ以上の機械的要素は、電気的または他の方法で連結されずに、機械的に連結され得る。連結は、任意の長さの時間、例えば、永久もしくは半永久、または瞬間のみ、であってよい。
【００２１】
「機械的連結」などは広く解釈されるべきであり、あらゆる種類の機械的に連結を含む。
【００２２】
「連結」等の語の近くの「取り外し可能に」、「取り外し可能」等の語の欠如は、対象の該結合等が、取り外し可能であること、または取り外し可能でないことを意味するものではない。
【発明を実施するための形態】
【００２３】
いくつかの実施形態は、ゴルフクラブヘッドのセットを含む。セットは、第１のゴルフクラブヘッドを備える。第１のゴルフクラブヘッドは、（ｉ）第１の上端部および第１の上端部の反対側にある第１の底端部と、（ｉｉ）第１の前端部および第１の前端部の反対側にある第１の後端部と、（ｉｉｉ）第１のトゥ端部および第１のトゥ端部の反対側にある第１のヒール端部と、（ｉｖ）第１のクラブフェース部を有する第１のクラブ・ヘッド本体と、（ｖ）第１のクラブシャフト軸であって、第１の上端部と第１の底端部の間に延在する第１のクラブ上底軸と、第１の前端部と第１の後端部の間に延在する第１のクラブ前後軸と、第１のヒール端部と第１のトゥ端部の間に延在する第１のヒールトゥ軸と、を有する第１のクラブシャフト軸と、（ｖｉ）第１のクラブアドレス構造と、を備える。また、セットは、第２のゴルフクラブヘッドを備える。第２のゴルフクラブヘッドは、（ｉ）第２の上端部および第２の上端部の反対側にある第２の底端部と、（ｉｉ）第２の前端部および第２の前端部の反対側にある第２の後端部と、（ｉｉｉ）第２のトゥ端部および第２のトゥ端部の反対側にある第２のヒール端部と、（ｉｖ）第２のクラブフェース部を有する第２のクラブ・ヘッド本体と、（ｖ）第２のクラブシャフト軸であって、第２の上端部と第２の底端部の間に延在する第２のクラブ上底軸と、第２の前端部と第２の後端部の間に延在する第２のクラブ前後軸と、第２のヒール端部と第２のトゥ端部の間に延在する第２のヒールトゥ軸と、を有する第２のクラブシャフト軸と、（ｖｉ）第２のクラブアドレス構造と、を備える。
【００２４】
一方、第１のクラブフェース部は、第１のクラブフェース面と、少なくとも１つの第１のクラブ溝を有してもよく、そして、第１のクラブフェース部は、第１の前端部に位置してもよい。第１の上底軸、第１の前後軸および第１のヒールトゥ軸は、互いに略垂直であってもよい。さらに、第１のゴルフクラブヘッドが、第１のクラブアドレス構造内に配置される場合に、第１の上底軸は、第１のグランド平面に対して略垂直であってもよく、かつ／又は、第１のゴルフクラブヘッドは、約５５度以上の第１のクラブロフト角を有してもよい。さらにまた、少なくとも１つの第１のクラブ溝の各第１のクラブ溝は、それぞれ、第１のクラブ溝底と、第１のクラブ溝底に隣接した第１のクラブ溝側壁と、第１のクラブ溝縁点と、第１のクラブ溝縁点における第１のクラブ溝縁半径と、第１のクラブ溝底に略垂直な第１のクラブ溝中心軸と、を有する。そして、さらにまた、少なくとも１つの第１のクラブ溝は、第１のクラブ交差平面で第１のクラブ溝中心軸に対して線対称であってもよく、そして、第１のクラブ交差平面は、第１のクラブ上底軸と第１のクラブ前後軸によって形成される第１のクラブ交差平面と略平行であってもよい。また、第１のクラブ縁点は、３０度ルール（Thirty Degree Rule）を満たしてもよく、第１のクラブ溝底は、第１のクラブフェース面に略平行であり、かつ、第１のクラブヒールトゥ軸に略垂直に延在する、第１のクラブ溝底幅を有してもよく、そして、第１のクラブ溝側壁は、第１のクラブ溝中心軸と第１のクラブ溝側壁角を形成してもよい。
【００２５】
一方、第２のクラブフェース部は、第２のクラブフェース面と、少なくとも１つの第２のクラブ溝を有してもよく、そして、第２のクラブフェース部は、第２の前端部に位置してもよい。第２の上底軸、第２の前後軸および第２のヒールトゥ軸は、互いに略垂直であってもよい。さらに、第２のゴルフクラブヘッドが、第２のクラブアドレス構造内に配置される場合に、第２の上底軸は、第２のグランド平面に対して略垂直であってもよく、かつ／又は、第２のゴルフクラブヘッドは、約５５度未満の第２のクラブロフト角を有してもよい。さらにまた、少なくとも１つの第２のクラブ溝の各第２のクラブ溝は、それぞれ、第２のクラブ溝底と、第２のクラブ溝底に隣接した第２のクラブ溝側壁と、第２のクラブ溝縁点と、第２のクラブ溝縁点における第２のクラブ溝縁半径と、第２のクラブ溝底に略垂直な第２のクラブ溝中心軸と、を有する。そして、さらにまた、少なくとも１つの第２のクラブ溝は、第２のクラブ交差平面内で第２のクラブ溝中心軸に対して線対称であってもよく、そして、第２のクラブ交差平面は、第２のクラブ上底軸と第２のクラブ前後軸によって形成される第２のクラブ交差平面と略平行であってもよい。また、第２のクラブ縁点は、３０度ルールを満たしてもよく、第２のクラブ溝底は、第２のクラブフェース面に略平行であり、かつ、第２のクラブヒールトゥ軸に略垂直に延在する、第２のクラブ溝底幅を有してもよく、そして、第２のクラブ溝側壁は、第２のクラブ溝中心軸と、第２のクラブ溝側壁角を形成してもよい。
【００２６】
これら又は他の実施形態による、第１のクラブ溝縁半径は、第２のクラブ溝縁半径より小さくてもよく、第１のクラブ溝底幅は、第２のクラブ溝底幅よりも小さくてもよく、かつ／又は、第１のクラブ溝側壁角は、第２のクラブ溝側壁角よりも大きくてもよい。
【００２７】
他の実施形態は、ゴルフクラブヘッドのセットを提供する方法を含む。その方法は、第１のゴルフクラブヘッドを提供することと、第２のゴルフクラブヘッドを提供することと、を含む。
【００２８】
一方、第１のゴルフクラブヘッドを提供することは、第１のゴルフクラブヘッドの第１のクラブ・ヘッド本体を提供することを含み、第１のクラブ・ヘッド本体を提供することは、第１のクラブ・ヘッド本体の第１のクラブフェース部を提供することを含み、第１のクラブフェース部は第１の前端部に位置してもよく、そして、第１のクラブフェース部を提供することは、第１のクラブフェース部の第１のクラブフェース面と第１のクラブフェース部の少なくとも１つの第１のクラブ溝を提供することを含む。第１のゴルフクラブヘッドは、（ｉ）第１の上端部および第１の上端部の反対側にある第１の底端部と、（ｉｉ）第１の前端部および第１の前端部の反対側にある第１の後端部と、（ｉｉｉ）第１のトゥ端部および第１のトゥ端部の反対側にある第１のヒール端部と、（ｉｖ）第１のクラブフェース部を有する第１のクラブ・ヘッド本体と、（ｖ）第１のクラブシャフト軸であって、第１の上端部と第１の底端部の間に延在する第１のクラブ上底軸と、第１の前端部と第１の後端部の間に延在する第１のクラブ前後軸と、第１のヒール端部と第１のトゥ端部の間に延在する第１のヒールトゥ軸と、を有する第１のクラブシャフト軸と、（ｖｉ）第１のクラブアドレス構造と、を備える。
【００２９】
さらに、第１のクラブ上底軸、第１のクラブ前後軸および第１のクラブヒールトゥ軸は、互いに略垂直であってもよい。一方、第１のゴルフクラブヘッドが、第１のクラブアドレス構造内に配置される場合に、第１のクラブ上底軸は、第１のグランド平面に対して略垂直であってもよく、かつ／又は、第１のゴルフクラブヘッドは、約５５度以上かつ約６５度以下の第１のクラブロフト角を有してもよい。少なくとも１つの第１のクラブ溝の各第１のクラブ溝は、それぞれ、第１のクラブ溝底と、第１のクラブ溝底に隣接した第１のクラブ溝側壁と、第１のクラブ溝縁点と、第１のクラブ溝縁点における第１のクラブ溝縁半径と、第１のクラブ溝底に略垂直な第１のクラブ溝中心軸と、第１のクラブヒールトゥ軸に略平行に延在する第１のクラブ溝長さと、を有する。第１のクラブ溝底は、第１のクラブフェース面に略平行であり、かつ、第１のクラブヒールトゥ軸に略垂直に延在する、第１のクラブ溝底幅を有してもよく、第１のクラブ溝中心軸は、第１のクラブ溝底幅の第１の略中点を通過してもよく、少なくとも１つの第１のクラブ溝は、第１のクラブ溝長さの第１の大部分に沿って、第１のクラブ溝中心軸に対して略線対称であってもよく、第１のクラブ縁点は、３０度ルールを満たしてもよく、第１のクラブ溝側壁は、第１のクラブ溝中心軸と第１のクラブ溝側壁角を形成してもよい。
【００３０】
また、第２のゴルフクラブヘッドを提供することは、第２のゴルフクラブヘッドの第１のクラブ・ヘッド本体を提供することを含み、第２のクラブ・ヘッド本体を提供することは、第２のクラブ・ヘッド本体の第２のクラブフェース部を提供することを含み、第２のクラブフェース部は第２の前端部に位置してもよく、そして、第２のクラブフェース部を提供することは、第２のクラブフェース部の第２のクラブフェース面と第２のクラブフェース部の少なくとも１つの第２のクラブ溝を提供することを含む。第２のゴルフクラブヘッドは、（ｉ）第２の上端部および第２の上端部の反対側にある第２の底端部と、（ｉｉ）第２の前端部および第２の前端部の反対側にある第２の後端部と、（ｉｉｉ）第２のトゥ端部および第２のトゥ端部の反対側にある第２のヒール端部と、（ｉｖ）第２のクラブフェース部を有する第２のクラブ・ヘッド本体と、（ｖ）第２のクラブシャフト軸であって、第２の上端部と第２の底端部の間に延在する第２のクラブ上底軸と、第２の前端部と第２の後端部の間に延在する第２のクラブ前後軸と、第２のヒール端部と第２のトゥ端部の間に延在する第２のヒールトゥ軸と、を有する第２のクラブシャフト軸と、（ｖｉ）第２のクラブアドレス構造と、を備える。
【００３１】
さらに、第２のクラブ上底軸、第２のクラブ前後軸および第２のクラブヒールトゥ軸は、互いに略垂直であってもよい。一方、第２のゴルフクラブヘッドが、第２のクラブアドレス構造内に配置される場合に、第２のクラブ上底軸は、第２のグランド平面に対して略垂直であってもよく、かつ／又は、第２のゴルフクラブヘッドは、約５５度未満の第２のクラブロフト角を有してもよい。少なくとも１つの第２のクラブ溝の各第２のクラブ溝は、それぞれ、第２のクラブ溝底と、第２のクラブ溝底に隣接した第２のクラブ溝側壁と、第２のクラブ溝縁点と、第２のクラブ溝縁点における第２のクラブ溝縁半径と、第２のクラブ溝底に略垂直な第２のクラブ溝中心軸と、第２のクラブヒールトゥ軸に略平行に延在する第２のクラブ溝長さと、を有する。第２のクラブ溝底は、第２のクラブフェース面に略平行であり、かつ、第２のクラブヒールトゥ軸に略垂直に延在する、第２のクラブ溝底幅を有してもよく、第２のクラブ溝中心軸は、第２のクラブ溝底幅の第２の略中点を通過してもよく、少なくとも１つの第２のクラブ溝は、第２のクラブ溝長さの第２の大部分に沿って、第２のクラブ溝中心軸に対して略線対称であってもよく、第２のクラブ縁部は、３０度ルールを満たしてもよく、第２のクラブ溝側壁は、第２のクラブ溝中心軸と第２のクラブ溝側壁角を形成してもよい。
【００３２】
これら又は他の実施形態による、第１のクラブ溝縁半径は、第２のクラブ溝縁半径より小さくてもよく、第１のクラブ溝底幅は、第２のクラブ溝底幅よりも小さくてもよく、かつ／又は、第１のクラブ溝側壁角は、第２のクラブ溝側壁角よりも大きくてもよい。
【００３３】
さらなる実施形態は、ゴルフクラブヘッドのセットを含む。セットは、（ｉ）第１のクラブフェース部を有する第１のクラブ・ヘッド本体を備える第１のゴルフクラブヘッドと、（ｉｉ）第２のクラブフェース部を有する第２のクラブ・ヘッド本体を備える第２のゴルフクラブヘッドと、を備える。
【００３４】
さらに、第１のクラブフェース部は、第１のクラブフェース面と、少なくとも１つの第１のクラブ溝を有してもよく、そして、第１のゴルフクラブヘッドは、約５５度以上の第１のクラブロフト角を備えてもよい。少なくとも１つの第１のクラブ溝の各第１のクラブ溝は、それぞれ、第１のクラブ溝底と、第１のクラブ溝底に隣接した第１のクラブ溝側壁と、第１のクラブ溝縁点と、第１のクラブ溝縁点における第１のクラブ溝縁半径と、第１のクラブ溝底に略垂直な第１のクラブ溝中心軸と、を有してもよい。第１のクラブ溝底は、第１のクラブ溝底幅を有してもよく、第１のクラブ溝側壁は、第１のクラブ溝側壁角を形成してもよい。
【００３５】
さらにまた、第２のクラブフェース部は、第２のクラブフェース面と、少なくとも１つの第２のクラブ溝を有してもよく、そして、第２のゴルフクラブヘッドは、約５５度未満の第２のクラブロフト角を備えてもよい。少なくとも１つの第２のクラブ溝の各第２のクラブ溝は、それぞれ、第２のクラブ溝底と、第２のクラブ溝底に隣接した第２のクラブ溝側壁と、第２のクラブ溝縁点と、第２のクラブ溝縁点における第２のクラブ溝縁半径と、第２のクラブ溝底に略垂直な第２のクラブ溝中心軸と、を有してもよい。第２のクラブ溝底は、第２のクラブ溝底幅を有してもよく、第２のクラブ溝側壁は、第２のクラブ溝側壁角を形成してもよい。
【００３６】
これら又は他の実施形態による、第１のクラブ溝縁半径は、第２のクラブ溝縁半径より小さくてもよく、第１のクラブ溝底幅は、第２のクラブ溝底幅よりも小さくてもよく、かつ／又は、第１のクラブ溝側壁角は、第２のクラブ溝側壁角よりも大きくてもよい。
【００３７】
図面に移ると、図１−３は、実施形態によるクラブ・ヘッド１００の前面、ヒール側、後面を示す図である。クラブ・ヘッド１００は、例示にすぎず、本明細書に提示する実施形態に限定されない。クラブ・ヘッド１００は、本明細書で明確に図示または説明していない多くの異なる実施形態または例で用いられ得る。
【００３８】
一般に、クラブ・ヘッド１００は、ゴルフクラブヘッドであってもよい。例えば、クラブ・ヘッド１００は、あらゆる適切なアイアン・タイプのゴルフクラブヘッドであってもよい。いくつかの実施形態では、クラブ・ヘッド１００は、マッスルバックのアイアン・タイプのゴルフクラブヘッド又はキャビティバックタイプのゴルフクラブヘッドであってもよい。さらなる実施形態では、クラブ・ヘッド１００は、あらゆる適切なウェッジのアイアン・タイプのゴルフクラブヘッドであってもよい。それにもかかわらず、クラブ・ヘッド１００は、概してアイアン・タイプのゴルフクラブヘッドに関して記載されるが、クラブ・ヘッド１００は、ウッド・タイプのゴルフクラブヘッド（例えば、ドライバークラブ・ヘッド、フェアウェイウッドクラブヘッド、及びハイブリッドクラブ・ヘッド等）又はパターゴルフクラブヘッドのような、ゴルフクラブヘッドのあらゆる他の適切な型であってもよい。一般に、クラブ・ヘッド１００は、あらゆる適切な材料を有することができるが、多くの実施形態では、クラブ・ヘッド１００は、１種類以上の金属材料を有する。典型的な金属材料は、１７−４ステンレス鋼や４３１ステンレス鋼や８６２０炭素鋼かつ／又は１０２５炭素鋼を含んでもよい。上述にも関わらず、本明細書に記載される装置、方法及び製造物品は、この点において限定されない。
【００３９】
図１を参照すると、クラブ・ヘッド１００は、上端部１０１と、上端部１０１の反対側にある底端部１０２と、前端部２０３（図２）と、前端部２０３の反対側にある後端部２０４（図２）と、トゥ端部１０５と、トゥ端部１０５の反対側にあるヒール端部１０６と、を備える。さらに、クラブ・ヘッド１００は、クラブ・ヘッド本体１０７を備える。クラブ・ヘッド本体は、中実、中空、又は部分的に中空であることができる。クラブ・ヘッド本体１０７が、中空かつ／又は部分的に中空のとき、クラブ・ヘッド本体１０７は、殻構造を有することができ、さらに、殻構造の材料とは異なる充填材で、全体的にかつ／又は部分的に満たされてもよい。例えば、充填材は、発泡プラスチックを含んでもよい。
【００４０】
一方、クラブ・ヘッド本体１０７は、トップレールのことを指してもよいトップ部１０８と、ソール部１０９と、フェース部１１０と、後部２１１（図２）と、を備えてもよい。さらに、フェース部１１０は、フェース面１１４と、１つ以上の溝１１５を有する。例えば、溝部１１５は、溝１２７を有してもよい。さらに、クラブ・ヘッド本体１０７は、ホーゼル１１２、又はクラブ・ヘッド１００及び／又はクラブ・ヘッド本体１０７とシャフトを受け入れ、結合する、いかなる他の適切な機構（例えば、ボア）を備えてもよい。いくつかの実施形態では、後部２２１（図２）は、１つ以上のウエイトを受け入れるように構成され得るカスタムチューニングポートを有してもよい。他の実施形態では、カスタムチューニングポートは、省略されてもよい。同じ又は異なる実施形態では、他の適切な機構は、１つ以上の点において、ホーゼル１１２と同様であってもよい。
【００４１】
多くの実施形態では、ホーゼル１１２は、ヒール端部１０６又はその近くに配設されてもよい。シャフトは、図面には描かれていないが、ホーゼル１１２は、例えば、ゴルフクラブシャフトのようなシャフトを（即ち、ホーゼル１１２の開口部１１３を介して）受け入れるように構成されてもよい。したがって、ホーゼル１１２は、シャフトを受け入れ、ホーゼル１１２がシャフトを受け入れるときに、シャフトをクラブ・ヘッド１００及び／又はクラブ・ヘッド本体１０７に（例えば、取り外し可能に又は取り外し不能）結合させてもよい。
【００４２】
フェース部１１０は、前端部２０３（図２）に配設されてもよく、後部２１１（図２）は、後端部２０４（図２）に配設されてもよい。フェース部１１０は、後部２１１（図２）の略反対側に設けてもよい。一方、トップ部１０８は、少なくとも部分的に上端部１０１に配設され、トップ部１０８は、トップ部１０１においてフェース部１１０と後部２１１（図２）に接触してもよい。さらに、ソール部１０９は、少なくとも部分的に底端部１０２に配設させてもよく、ソール部１０９は、底部１０２においてフェース部１１０と後部２１１（図２）と接触してもよい。多くの実施形態では、（ａ）トップ部１１０とフェース部１１０及び／又は後部２１１（図２）の接合部分、及び／又は（ｂ）ソール部１０９とフェース部１１０及び／又は後部２１１（図２）の接合部分は、湾曲され、又はカットされ(faceted)てもよく、（ａ）トップ部１１０とフェース部１１０及び／又は後部２１１（図２）、及び／又は（ｂ）ソール部１０９とフェース部１１０及び／又は後部２１１（図２）のなめらかな（又は実質的になめらかな）変わり目を提供してもよい。他の実施形態では、（ａ）トップ部１０８とフェース部１１０及び／又は後部２１１（図２）の接合部分、及び／又は（ｂ）ソール部１０９とフェース部１１０及び／又は後部２１１（図２）の接合部分は、角度のあってもよく、（ａ）トップ部１０８とフェース部１１０及び／又は後部２１１（図２）、及び／又は（ｂ）ソール部１０９とフェース部１１０及び／又は後部２１１（図２）の鋭利な変わり目を提供してもよい。
【００４３】
フェース部１１０とは、クラブ・ヘッド１００の打撃面、又は打撃板のことを指してもよく、例えば、ゴルフボールのようなボール（図示省略）を打つように構成されてもよい。多くの実施形態では、フェース面１１４とは、フェース部１１０のランド領域（land area）のことを指してもよい。これら又は他の実施形態では、溝１１５は、トゥ端部１０５とヒール端部１０６の間に延在してもよい。さらに、溝１１５が複数の溝を有するとき、溝１１５の２つ以上の溝は互いに略平行であってもよい。
【００４４】
図２を参照すると、実施内では、クラブ・ヘッド１００はアドレス構造２１６内に配設されてもよい。いくつかの実施例では、アドレス構造２１６とは、クラブ・ヘッド１００が静止している間に、クラブ・ヘッド１００が（例えば、ユーザによってゴルフクラブの一部として）ゴルフボールに対してアドレスするために置かれる、クラブ・ヘッド１００の構造のことを指してもよい。さらに、これら又は他の実施形態では、アドレス構造２１６とは、クラブ・ヘッド１００が水平面（例えば、地面）上で（例えば、ソール部１０９（図１）において）バランスよく立たされ、重力によってのみ作用される、クラブ・ヘッド１００の構造のことを指してもよい。さらにまた、これら又は他の実施形態では、クラブ・ヘッド１００は、シャフトから分離されてもよい。
【００４５】
参照のために示すと、アドレス構造２１６において、クラブ・ヘッド１００はシャフト軸２１７を有してもよい。シャフト軸２１７は、（ａ）開口部１１３に対して直交し、（ｂ）開口部１１３の中心点で交差してもよい、参照としての軸のことを指してもよい。シャフトがクラブ・ヘッド本体１０７と結合されるとき、シャフトとシャフト軸は、略平行かつ／又は同一線上であってもよい。
【００４６】
シャフト軸２１７は、上底軸２１８と、ヒールトゥ軸３１９（図３）と、前後軸２２０と、を有する。上底軸２１８、ヒールトゥ軸３１９（図３）及び前後軸２２０は、シャフト軸２１７の構成軸として、クラブ・ヘッド１１０に対する直角座標軸系枠を提供してもよい。これらの実施形態では、上底軸２１８、ヒールトゥ軸３１９（図３）及び前後軸２２０は、互いに直交してもよい。さらに、上底軸２１８は、おおよそ上端部１０１（図１）と底端部１０２（図１）の方向において延在し、ヒールトゥ軸３１９（図３）は、おおよそヒール端部１０６（図１）とトゥ端部１０５（図１）の方向において延在し、かつ／又は前後軸２２０は、おおよそ前端部２０３と後端部２０４の方向において延在してもよい。
【００４７】
一方、クラブ・ヘッド１００は、ライ角３２１（図３）とロフト角２２２とを有してもよい。これらの実施形態では、シャフト軸２１７は、グランド平面２２３とライ角３２１を形成してもよく、ロフト平面２２４は、シャフト角２１７とロフト角２２２を形成してもよい。さらに、クラブ・ヘッド１００は、１つ以上のキール点（keel point）２２５と、１つ以上の先端点２２６と、を有してもよい。さらにまた、上底軸２１８は、グランド平面２２３に対して略直交してもよく、ヒールトゥ軸３１９（図３）は、グランド平面２２３に対して略平行であってもよく、かつ／又は前後軸２２０は、グランド平面２２３に対して略平行であってもよい。
【００４８】
グランド平面２２３は、（ａ）クラブ・ヘッド１００がアドレス構造２１６内に配置されるときに、ヒールトゥ軸３１９（図３）と前後軸２２０を含む平面に平行で、（ｂ）キール点２２５と交差する又は接する、平面のことを指してもよい。一方、キール点２２５は、クラブ・ヘッド１００がアドレス構造２１６内に配置されるときに、底端部１０２に最も近く、上端部１０１から最も遠い、ソール部１０９上の１点又は複数点のことを指してもよい。さらに、先端点２２６は、クラブ・ヘッド１００がアドレス構造２１６内に配置されるときに、前端部２０３に最も近く、後端部２０４から最も遠い、ソール部１０９上の１点又は複数点のことを指してもよい。明確性のために、キール点２２５は、いくつかの例において１つの点を有してもよく、複数の点のそれぞれが等しく底端部１０２（図１）に近く、上端部１０１（図１）から遠い場合には、複数の点を有してもよく、そして、先端点２２６は、いくつかの例において１つの点であってもよく、複数の点のそれぞれが等しく前端部２０３に近く、後端部２０４から遠い場合には、複数の点を有してもよい。
【００４９】
一方、ロフト平面２２４は、（ａ）先端点２２６と交差し、（ｂ）クラブ・ヘッド１００がアドレス構造２１６内に配置されるときに、フェース部１１０（図１）と略平行である、平面のことを指してもよい。これら又は他の実施形態では、ロフト平面２２４は、（ａ）フェース部１１０（図１）のフェース中心と交差し、（ｂ）クラブ・ヘッド１００がアドレス構造２１６内に配置されるときに、フェース部１１０と略平行である、平面のことを指してもよい。多くの実施形態では、フェース中心は、トゥ端部１０５（図１）とヒール端部１０６（図１）から等距離の位置に存在し、さらに、上端部１０１（図１）と底端部１０２（図１）から等距離の位置に存在するフェース部１１０（図１）における場所のことを指すことができる。様々な例では、フェース中心は、参照により本明細書に組み込まれる、２００８年５月１日発行のＵｎｉｔｅｄ  Ｓｔａｔｅｓ  Ｇｏｌｆ  Ａｓｓｏｃｉａｔｉｏｎ：Ｐｒｏｃｅｄｕｒｅ  ｆｏｒ  Ｍｅａｓｕｒｉｎｇ  ｔｈｅ  Ｆｌｅｘｉｂｉｌｉｔｙ  ｏｆ  ａ  Ｇｏｌｆ  Ｃｌｕｂｈｅａｄ、ＵＳＧＡ−ＴＰＸ３００４、改訂版１．０．０、６ページ（２０１４年８月２４日からｈｔｔｐ：／／ｗｗｗ．ｕｓｇａ．ｏｒｇ／ｅｑｕｉｐｍｅｎｔ／ｔｅｓｔｉｎｇ／ｐｒｏｔｏｃｏｌｓ／Ｔｅｓｔ−Ｐｒｏｔｏｃｏｌｓ−Ｆｏｒ−Ｅｑｕｉｐｍｅｎｔに掲載）で定義されるフェース中心のことを指すことができる。フェース部１１０（図１）が、平面かつ／又は実質的に平面であるとき、フェース部１１０とロフト平面２２４は、略同一平面上に存在する。一方、フェース部１１０（図１）が平面でない（例えば、湾曲している）とき、フェース部１１０の少なくとも一部は、ロフト平面２２４の前に、又は後ろに配置されてもよい。
【００５０】
多くの実施形態では、クラブ・ヘッド１００のクラブ・ヘッドの型は、ロフト角２２２により規定されてもよい。これら又は他の実施形態では、ロフト角２２２は、約０度以上かつ約６５度以下であってもよい。クラブ・ヘッド１００が、ウェッジのアイアン・タイプゴルフクラブヘッドであるとき、ロフト角２２２は約４５度以上かつ約６５度以下であってもよい。さらに、ライ角（図３）は、約５０度以上かつ６０度以下であってもよい。
【００５１】
図面を進めて見てみると、図４は、クラブ・ヘッド１００の溝１２７の断面を示すために、図１の切断線１−１における、クラブ・ヘッド１００の一部の断面図を示す。とりわけ、溝１１５（図１）が複数の溝を有するとき、溝１１５のそれぞれの溝（例えば、溝１２７）は互いに類似又は同一であってもよい。
【００５２】
溝１２７は、溝底４２８と、溝側壁４２９と、溝縁点４３０と、溝中心軸４３１と、を有してもよい。さらに、溝１２７は溝長さを有する。一方、いくつかの実施形態では、クラブ・ヘッド１００及び／又はフェース部１１０は、平縁推移（filleted transition）４３２を有してもよい。これらの実施形態では、平縁推移４３２は、溝縁点４３０を有してもよい。さらに、溝１２７は、平縁推移４３２の少なくとも一部を有してもよい。他の実施形態では、平縁推移４３２は、省略されてもよい。
【００５３】
溝側壁４２９は、溝底４２８に隣接している。例えば、溝底４２８は、底側壁点４３３において、溝側壁４２９と接していてもよい。一方、適用可能なとき、平縁推移４３２は、溝側壁４１９とフェース面１１４（図１）の間に配置されてもよい。したがって、溝側壁４２９は、側壁推移点４３４において、平縁推移４３２と接してもよく、そして、平縁推移４３２は、フェース面推移点（transition-face surface point）４３５において、フェース面１１４（図１）と接してもよい。これらの実施例では、溝縁点４３０は、側壁推移点４３４とフェース面推移点４３５との間の平縁推移４３２に配置されてもよい。
【００５４】
溝１２７の溝長さは、溝１２７の（例えば、最も長い）長さ寸法を指してもよく、おおよそトゥ端部１０５とヒール端部１０６の間で延在することができる。これら又は他の実施形態では、溝１１５（図１）が複数の溝を有するとき、複数の溝のうちの２以上の溝の溝長さは、類似又は同一であってもよく、かつ／又は複数の溝のうちの２以上の溝の溝長さは、異なってもよい。
【００５５】
さらに、溝中心軸４３１は、溝底４２８に対して略垂直であり得る。多くの実施形態では、溝１２７は、上底軸２１８（図２）と前後軸２２０（図２）によって形成される平面に対して略平行である交差平面において、溝中心軸４３１に対して略線対称であってもよい。これら又は他の実施形態では、図１の切断線１−１の断面は、交差平面と略平行かつ／又は略同一平面上にある平面においてとられる。さらなる実施形態では、溝中心軸４３１は、（後述の）溝底幅４４４の略中心点、及び／又は、溝１２７の溝長さの略中心点と交差してもよい。これらの実施形態では、溝中心軸４３１は、溝底４２８の中点とほぼ交差してもよい。さらに、これら又は他の実施形態では、溝１２７は、溝１２７の溝長さの一部、大部分、ほとんど全体、又は全体に沿った溝中心軸に対して略線対称である。したがって、これら又は他の実施形態では、例えば、溝中心軸４３１に対して溝１２７が対称であるため、溝１２７の１つ以上の要素が、溝中心軸４３１に対して対称である。
【００５６】
例えば、溝１２７は、溝側壁４２９の反対側にある溝側壁４３６と、溝縁点４３０の反対側にある溝縁点４３７と、平縁推移４３２の反対側にある平縁推移４３８と、底側壁点４３３の反対側にある底側壁点４３９と、側壁推移点４３４の反対側にある側壁推移点４４０と、フェース面推移点４３５の反対側にあるフェース面推移点４４１と、を有してもよい。さらに、溝側壁４３６は、溝側壁４２９と相似又は同一であり、溝縁点４３７は、溝縁点４３０と相似又は同一であり、平縁推移４３８は、平縁推移４３２と相似又は同一であり、底側壁点４３９は、底側壁点４３３と相似又は同一であり、側壁推移点４４０は、側壁推移点４３４と相似又は同一であり、フェース面推移点４４１は、フェース面推移点４３５と相似又は同一である。
【００５７】
多くの実施形態では、溝縁点４３０は、参照により本明細書に組み込まれる、２００８年８月発行のＵｎｉｔｅｄ  Ｓｔａｔｅｓ  Ｇｏｌｆ  Ａｓｓｏｃｉａｔｉｏｎ‘ｓ  Ｄｅｔｅｒｍｉｎａｔｉｏｎ ｏｆ  Ｇｒｏｏｖｅ  Ｃｏｎｆｏｒｍａｎｃｅ  （Ｉｍｐａｃｔ  Ａｒｅａ  Ｍａｒｋｉｎｇｓ  （Ａｐｐ  ＩＩ，  ５ｃ）  Ｍｅａｓｕｒｅｍｅｎｔ  Ｐｒｏｃｅｄｕｒｅ）  ｒｕｌｉｎｇ、において記載されるように、全米ゴルフ協会の溝幅の測定のための３０度法（thirty degree method）（即ち、「３０度ルール」）を満たし（例えば、適合し）得る。３０度ルールの付録Ｂ（溝幅の測定のための３０度法）における全米ゴルフ協会によれば、ゴルフクラブヘッドのフェース面における溝は、フェース部のフェース面（例えば、フェース面１１４（図１））の平面から有意に離れたところから始まる。さらに具体的には、溝縁点４３０は、フェース面推移点４３５で始まり、側壁推移点４３４に向かって移動し、（ａ）平面推移４３２と接するように描かれる接線４４２が、少なくとも１つの３０度の角をフェース面１１４（図１）と形成する、又は（ｂ）平縁推移４３２における位置が、フェース面１１４より約０．００７６２センチメートルだけ下方である、のうちのいずれか最初に発生する平縁推移４３２の位置に配置される。したがって、これら又は他の実施形態では、溝縁点４３０及び４３７は、溝１１７（図１）の境界を示してもよい。
【００５８】
さらに、溝１２７は、溝縁半径４４３と、溝底幅４４４と、溝側壁角４４５と、溝フェード角４４６と、溝深さ４４７と、溝縁点深さ４４８と、溝縁点幅４４９と、を有してもよい。
【００５９】
溝縁半径４４３は、溝縁点４３０において平縁推移４３２の半径の曲率のことを指す。平縁推移４３２が省略されるとき、溝縁半径４４３は省略されることができる。多くの実施形態では、溝縁半径４４３は、０．００７センチメートル以上かつ０．０２６センチメートル以下であってもよい。いくつかの実施形態では、溝縁半径４４３は、約０．００７センチメートル以上かつ約０．０１５センチメートル以下であってもよい。他の実施形態では、溝縁半径４４３は、約０．０１５センチメートル以上かつ約０．０２６センチメートル以下である。例えば、これら又は他の実施形態では、溝縁半径４４３は、約０．００７±．００５センチメートル、約０．００８±．００５センチメートル、約０．００９±．００５センチメートル、約０．０１０±．００５センチメートル、約０．０１１±．００５センチメートル、約０．０１２±．００５センチメートル、約０．０１３±．００５センチメートル、約０．０１４±．００５センチメートル、約０．０１５±．００５センチメートル、約０．０１６±．００５センチメートル、約０．０１７±．００５センチメートル、約０．０１８±．００５センチメートル、約０．０１９±．００５センチメートル、約０．０２０±．００５センチメートル、約０．０２１±．００５センチメートル、約０．０２２±．００５センチメートル、約０．０２３±．００５センチメートル、約０．０２４±．００５センチメートル、約０．０２５±．００５センチメートル、約０．０２６±．００５センチメートルであってもよい。
【００６０】
例えば、多くの実施形態では、ロフト角２２２（図２）が、約５５度以上かつ約６５度以下であるとき、溝縁半径４４３は、約０．００７センチメートル以上かつ約０．０１５センチメートル以下であってもよい。これら又は他の実施形態では、ロフト角２２２（図２）が、約５６度以上かつ約６０度以下であるとき、溝縁半径４４３は、約０．００７センチメートル以上かつ０．０１５センチメートル以下であってもよい。
【００６１】
さらに、多くの実施形態では、ロフト角２２２（図２）が、約４５度以上かつ約５５度以下であるとき、溝縁半径４４３は、約０．０１５センチメートル以上かつ約０．０２６センチメートル以下であってもよい。これら又は他の実施形態では、ロフト角２２２が、約４７度以上かつ約５４度以下であるとき、溝縁半径４４３は、約０．０１５センチメートル以上かつ約０．０２６センチメートル以下であってもよい。
【００６２】
溝底幅４４４は、フェース面１１４（図１）に略平行かつヒールトゥ軸３１９（図３）に略垂直に測定された溝底４２８の幅のことを指す。例えば、溝底幅４４４は、溝中心軸４３１に関して共に上述した交差平面における溝底４２８の断面幅のことを指すことができる。さらに、溝底幅４４４は、底側壁点４３３と底側壁点４３９の間の距離のことを指してもよい。多くの実施例では、溝底幅４４４は、約０．０３５０センチメートル以上かつ０．０４１４センチメートル以下であってもよい。例えば、これら又は他の実施形態では、溝縁半径４４３は、約０．０３５０±．００２５センチメートル、約０．０３５２±．００２５センチメートル、約０．０３５４±．００２５センチメートル、約０．０３５６±．００２５センチメートル、約０．０３５８±．００２５センチメートル、約０．０３６０±．００２５センチメートル、約０．０３６２±．００２５センチメートル、約０．０３６４±．００２５センチメートル、約０．０３６６±．００２５センチメートル、約０．０３６８±．００２５センチメートル、約０．０３７０±．００２５センチメートル、約０．０３７２±．００２５センチメートル、約０．０３７４±．００２５センチメートル、約０．０３７６±．００２５センチメートル、約０．０３７８±．００２５センチメートル、約０．０３８０±．００２５センチメートル、約０．０３８２±．００２５センチメートル、約０．０３８４±．００２５センチメートル、約０．０３８６±．００２５センチメートル、約０．０３８８±．００２５センチメートル、約０．０３９０±．００２５センチメートル、約０．０３９２±．００２５センチメートル、約０．０３９４±．００２５センチメートル、約０．０３９６±．００２５センチメートル、約０．０３９８±．００２５センチメートル、約０．０４００±．００２５センチメートル、約０．０４０２±．００２５センチメートル、約０．０４０４±．００２５センチメートル、約０．０４０６±．００２５センチメートル、約０．０４０８±．００２５センチメートル、約０．０４１０±．００２５センチメートル、約０．０４１２±．００２５センチメートル、約０．０４１４±．００２５センチメートルであってもよい。
【００６３】
例えば、多くの実施形態では、ロフト角２２２（図２）が約５５度以上かつ約６５度以下であるとき、溝底幅４４４は、約０．０３５０±．００２５センチメートルであってもよい。これら又は他の実施形態では、ロフト角２２２が約５６度以上かつ約６０度以下であるとき、溝底幅４４４は、約０．０３５０±．００２５センチメートルであってもよい。
【００６４】
さらに、多くの実施形態では、ロフト角２２２（図２）が約４５度以上かつ約５５度以下であるとき、溝底幅４４４は、約０．０４１４±．００２５センチメートルであってもよい。これら又は他の実施形態では、ロフト角２２２が約４７度以上かつ約５４度以下であるとき、溝底幅４４４は、約０．０４１４±．００２５センチメートルであってもよい。
【００６５】
溝側壁角４４５は、溝側壁４２９が溝中心軸４３１と形成する角のことを指す。多くの実施形態では、溝側壁角４４５は、約１３度以上かつ約２７度以下であってもよい。いくつかの実施形態では、溝側壁角４４５は、約１３度以上かつ約１９度以下であってもよい。他の実施形態では、溝側壁角４４５は、約２１度以上かつ約２７度以下であってもよい。例えば、これら又は他の実施形態では、溝側壁角４４５は、約１３±１度、約１４±１度、約１５±１度、約１６±１度、約１７±１度、約１８±１度、約１９±１度、約２０±１度、約２１±１度、約２２±１度、約２３±１度、約２４±１度、約２５±１度、約２６±１度、約２７±１度であってもよい。
【００６６】
例えば、多くの実施形態では、ロフト角２２２（図２）が約５５度以上かつ約６５度以下であるとき、溝側壁角４４５は、約２１度以上かつ約２７度以下であってもよい。これら又は他の実施形態では、ロフト角２２２が約５６度以上かつ約６０度以下であるとき、溝側壁角４４５は約２１度以上かつ２７度以下であってもよい。
【００６７】
さらに、多くの実施例では、ロフト角２２２（図２）が約４５度以上かつ約５５度以下であるとき、溝側壁角４４５は、約１３度以上かつ約１９度以下であってもよい。これら又は他の実施形態では、ロフト角２２２が約４７度以上かつ約５４度以下であるとき、溝側壁角４４５は、約１３度以上かつ約１９度以下であってもよい。
【００６８】
一方、溝フェード角４４６は、フェース面推移点４３５において、接線４５０がフェース面１１４（図１）と形成する角のことを指す。多くの実施形態では、溝フェード角４４６は、約１２度であってもよい。
【００６９】
溝深さ４４７は、溝中心線４３１に略平行かつ溝底４２８及び／又はフェース面１１４（図１）に略垂直に測定される、フェース面１１４（図１）と溝底４２８との間の距離のことを指す。とりわけ、溝深さ４４７は、溝底４２８に渡って一定であり得る。これらの実施形態では、溝深さ４４７は、溝底４２８に沿ったあらゆる場所において測定してもよい。他の実施形態では、溝深さ４４７は、おおよそ溝底４２８の中心点（例えば、溝中心軸４３１が溝底４２８と交わるところ）において、測定してもよい。多くの実施形態では、溝深さ４４７は、約０．０４±．００２５センチメートルであってもよい。
【００７０】
溝縁点深さ４４８は、溝中心軸４３１に略平行かつフェース面１１４（図１）及び／又は溝底４２８に略垂直に測定される、溝縁点４３０とフェース面１１４（図１）との間の距離のことを指す。とりわけ、溝縁点４３０が、上述のように、少なくとも１つの３０度の角を形成する接線４４２とは対照的に、フェース面１１４（図１）から下方への深さによって３０度ルールを満たすとき、溝縁点深さ４４８は、ロフト角２２２（図２）に関わらず、０．００７６２±．００１３センチメートルである。他の実施形態では、溝縁点深さは、ロフト角２２２（図２）に関わらず、約０．００４±．００１３センチメートルであってもよい。溝１２７の有効な溝深さ（即ち、溝中心軸４３１に略平行かつ溝底４２８及び／又はフェース面１１４（図１）に略垂直に計測される溝縁点４３０と溝底４２８との間の距離）は、溝深さ４４７から溝縁深さ４４８を差し引くことによって決定することができることは留意するべきであろう。
【００７１】
溝縁点幅４４９は、溝中心軸４３１に略垂直かつ溝底４２８及び／又はフェース面１１４（図１）に略平行に測定される溝縁点４３０と溝中心軸４３１との間の距離のことを指す。一方、溝幅（図示省略）は、溝中心軸４３１に略垂直かつ溝底４２８及び／又はフェース面１１４（図１）に略平行に測定される溝縁点４３０と４３７との間の距離のことを指してもよい。多くの実施例では、溝縁点幅４４９は、ロフト角２２２（図２）に関わらず、約０．０３７±．００５センチメートルであり得る。したがって、溝幅は、溝縁点幅４４９の２倍であってもよい。
【００７２】
図１に戻って参照すると、溝１１５が複数の溝を有するとき、溝１１５の隣接する溝（例えば、溝１２７）は、例えば、上底軸２１８（図２）に略平行かつ溝１１５の隣接する溝の中心軸（例えば、中心軸４３１（図４））の間で測定されるような、ピッチによって離れて存在してもよい。多くの実施形態では、溝１１５の２つ以上の隣接する溝の間のピッチは、１つのクラブ・ヘッド（例えば、クラブ・ヘッド１００（図１−３））内では、溝１１５の２つ以上の他の隣接する溝の間のピッチとほぼ等しくてもよい。これら又は他の実施形態では、溝１１５の２つ以上の隣接する溝の間のピッチは、１つのクラブ・ヘッド（例えば、クラブ・ヘッド１００（図１−３））内では、溝１１５の２つ以上の他の隣接する溝の間のピッチと異なってもよい。
【００７３】
多くの実施形態多では、１つのクラブ・ヘッド（クラブ・ヘッド１００（図１−３））のいくつか又は全ての隣接する溝のピッチは、約０．３３０±．００５センチメートル以上かつ約０．３６６±．００５センチメートル以下であってもよい。例えば、これら又は他の実施形態では、１つのクラブ・ヘッド（例えば、クラブ・ヘッド１００（図１−３））のいくつか又は全ての隣接する溝のピッチは、約０．３３０±．００５センチメートル、約０．３３１±．００５センチメートル、約０．３３２±．００５センチメートル、約０．３３３±．００５センチメートル、約０．３３４±．００５センチメートル、約０．３３５±．００５センチメートル、約０．３３６±．００５センチメートル、約０．３３７±．００５センチメートル、約０．３３８±．００５センチメートル、約０．３３９±．００５センチメートル、約０．３４０±．００５センチメートル、約０．３４１±．００５センチメートル、約０．３４２±．００５センチメートル、約０．３４３±．００５センチメートル、約０．３４４±．００５センチメートル、約０．３４５±．００５センチメートル、約０．３４６±．００５センチメートル、約０．３４７±．００５センチメートル、約０．３４８±．００５センチメートル、約０．３４９±．００５センチメートル、約０．３５０±．００５センチメートル、約０．３５１±．００５センチメートル、約０．３５２±．００５センチメートル、約０．３５３±．００５センチメートル、約０．３５４±．００５センチメートル、約０．３５５±．００５センチメートル、約０．３５６±．００５センチメートル、約０．３５７±．００５センチメートル、約０．３５８±．００５センチメートル、約０．３５９±．００５センチメートル、約０．３６０±．００５センチメートル、約０．３６１±．００５センチメートル、約０．３６２±．００５センチメートル、約０．３６３±．００５センチメートル、約０．３６４±．００５センチメートル、約０．３６５±．００５センチメートル、約０．３６６±．００５センチメートルであってもよい。
【００７４】
例えば、多くの実施形態では、ロフト角２２２（図２）が約５５度以上かつ約６５度以下であるとき、１つのクラブ・ヘッド（例えば、クラブ・ヘッド１００（図１−３））のいくつか又は全ての隣接する溝のピッチは、約０．３３０±．００５センチメートル以上かつ約０．３４５±．００５センチメートル以下であってもよい。これら又は他の実施形態では、ロフト角２２２が約５６度以上かつ約６０度以下であるとき、１つのクラブ・ヘッド（例えば、クラブ・ヘッド１００（図１−３））のいくつか又は全ての溝のピッチは、約０．３３０±．００５センチメートル以上かつ約０．３４５±．００５センチメートル以下であってもよい。
【００７５】
さらに、多くの実施形態では、ロフト角２２２（図２）が約４５度以上かつ約５５度以下であるとき、ピッチは約０．３４５±．００５センチメートル以上かつ約０．３６６±．００５センチメートル以下であってもよい。これら又は他の実施形態では、ロフト角２２２が約４７度以上かつ約５４度以下であるとき、ピッチは、約０．３４５±．００５センチメートル以上かつ約０．３６６±．００５センチメートル以下であってもよい。
【００７６】
さらに、溝１１５のそれぞれの溝（例えば、溝１２７）は、溝中心軸４３１（図４）に関して共に上述したような交差平面における溝の断面積を有する。溝１１５が複数の溝を有するとき、溝１１５のそれぞれの溝はピッチに対する断面積の比を有してもよい。多くの実施形態では、ピッチに対する断面積の比は、ロフト角２２２（図２）に関わらず、２つ以上の溝１１５の間でほぼ一定であってもよい。例えば、ピッチに対する断面積の比は、ロフト角２２２（図２）に関わらず、約０．００６８センチメートルであってもよい。
【００７７】
クラブ・ヘッド１００がゴルフクラブヘッドであるとき、ゴルフクラブヘッドは、対応するゴルフクラブの一部であってもよい。さらに、ゴルフクラブヘッドは、ゴルフクラブヘッドのセットの一部であり、かつ／又は、ゴルフクラブは、ゴルフクラブのセットの一部であってもよい。多くの実施形態では、ゴルフクラブヘッドのセットのそれぞれのゴルフクラブヘッド及び／又はゴルフクラブのセットのそれぞれのゴルフクラブは、互いに類似であってもよい。しかしながら、これら又は他の実施形態では、ゴルフクラブヘッドのセットのゴルフクラブヘッド及び／又はゴルフクラブのセットのゴルフクラブは、異なるロフト角を有してもよい。
【００７８】
例えば、ゴルフクラブヘッドのセットの少なくとも１つのゴルフクラブヘッド及び／又はゴルフクラブのセットの少なくとも１つのゴルフクラブは、約４５度未満のロフト角を有してもよく、一方、ゴルフクラブヘッドのセットの少なくとも１つのゴルフクラブヘッド及び／又はゴルフクラブのセットの少なくとも１つのゴルフクラブは、約４５度以上、かつ／又は、約６５度以下のロフト角を有してもよい。他の実施形態では、ゴルフクラブヘッドのセットの少なくとも１つのゴルフクラブヘッド及び／又はゴルフクラブのセットの少なくとも１つのゴルフクラブは、約５５度未満のロフト角を有し、一方、ゴルフクラブヘッドのセットの少なくとも１つのゴルフクラブヘッド及び／又はゴルフクラブのセットの少なくとも１つのゴルフクラブは、約５５度以上、かつ／又は、約６５度以下のロフト角を有してもよい。
【００７９】
これら又は他の実施形態では、比較的大きなロフト角（例えば、ロフト角２２２（図２））を有するゴルフクラブのセットの第１のゴルフクラブヘッド（例えば、ゴルフクラブヘッド１００）及び／又は第１のゴルフクラブの溝（例えば、溝１１５）は、比較的小さなロフト角を有するゴルフクラブのセットの第２のゴルフクラブヘッド及び／又は第２のゴルフクラブの溝よりも、比較的小さい溝縁半径（例えば、溝縁半径４４３（図４））と、比較的小さな溝底幅（例えば、溝底幅４４４（図４））と、比較的大きな溝側壁角（例えば、溝側壁角４４５（図４））、及び／又は比較的小さな溝のピッチと、を有してもよい。これら又は他の実施形態では、他のパラメータ（例えば、溝深さ（例えば、溝深さ４７（図４））と、溝縁点幅（例えば、溝縁点幅４４９（図４））、及び／又は溝のピッチに対する断面積の比は、ほぼ一定に保たれてもよい。とりわけ、第１のゴルフクラブヘッドと第２のゴルフクラブヘッドは、互いに類似であってもよい。この関係は、２つ以上（例えば、全て）のゴルフクラブのセットのゴルフクラブヘッド及び／又はゴルフクラブの間に存在してもよい。これら又は他の実施形態では、１つ以上のこれらの要素は、２つ以上のゴルフクラブのセットのゴルフクラブヘッド及び／又はゴルフクラブの間で一定であってもよい。例えば、これら又は他の実施形態では、ゴルフクラブのセットの第１のゴルフクラブヘッド（例えば、ゴルフクラブヘッド１００）及び／又は第１のゴルフクラブは、約４５度以上かつ／又は約６５度以下のロフト角を有してもよく、ゴルフクラブのセットの第２のゴルフクラブヘッド及び／又は第２のゴルフクラブは、約４５度未満であってもよい。さらなる実施形態では、ゴルフクラブのセットの第１のゴルフクラブヘッド（例えば、ゴルフクラブヘッド１００）及び／又は第１のゴルフクラブは、約５５度以上かつ／又は約６５度以下のロフト角を有してもよく、ゴルフクラブのセットの第２のゴルフクラブヘッド及び／又は第２のゴルフクラブは、約５５度未満であってもよい。
【００８０】
一方、いくつかの具体的な実施形態では、ゴルフクラブヘッドのセットの第１のゴルフクラブヘッド及び／又はゴルフクラブのセットの少なくとも１つのゴルフクラブは、約４５度のロフト角を有してもよく、それぞれが約０．０１７±．００５センチメートルの溝縁半径と、約０．０４１４±．００２５センチメートルの溝底幅、及び／又は、約１６±１度の溝側壁角をもつ、１つ以上の溝を有してもよい。また、ゴルフクラブヘッドのセットの第２のゴルフクラブヘッド及び／又はゴルフクラブのセットの少なくとも１つのゴルフクラブは、約４６度のロフト角を有してもよく、それぞれが約０．０１７±．００５センチメートルの溝縁半径と、約０．０４１４±．００２５センチメートルの溝底幅、及び／又は、約１６±１度の溝側壁角をもつ、１つ以上の溝を有してもよい。また、ゴルフクラブヘッドのセットの第３のゴルフクラブヘッド及び／又はゴルフクラブのセットの少なくとも１つのゴルフクラブは、約４７度のロフト角を有してもよく、それぞれが約０．０１７±．００５センチメートルの溝縁半径と、約０．０４１４±．００２５センチメートルの溝底幅、及び／又は、約１６±１度の溝側壁角をもつ、１つ以上の溝を有してもよい。また、ゴルフクラブヘッドのセットの第４のゴルフクラブヘッド及び／又はゴルフクラブのセットの少なくとも１つのゴルフクラブは、約５０度のロフト角を有してもよく、それぞれが約０．０１７±．００５センチメートルの溝縁半径と、約０．０４１４±．００２５センチメートルの溝底幅、及び／又は、約１６±１度の溝側壁角をもつ、１つ以上の溝を有してもよい。また、ゴルフクラブヘッドのセットの第５のゴルフクラブヘッド及び／又はゴルフクラブのセットの少なくとも１つのゴルフクラブは、約５２度のロフト角を有してもよく、それぞれが約０．０１７±．００５センチメートルの溝縁半径と、約０．０４１４±．００２５センチメートルの溝底幅、及び／又は、約１６±１度の溝側壁角をもつ、１つ以上の溝を有してもよい。また、ゴルフクラブヘッドのセットの第６のゴルフクラブヘッド及び／又はゴルフクラブのセットの少なくとも１つのゴルフクラブは、約５４度のロフト角を有してもよく、それぞれが約０．０１７±．００５センチメートルの溝縁半径と、約０．０４１４±．００２５センチメートルの溝底幅、及び／又は、約１６±１度の溝側壁角をもつ、１つ以上の溝を有してもよい。また、ゴルフクラブヘッドのセットの第７のゴルフクラブヘッド及び／又はゴルフクラブのセットの少なくとも１つのゴルフクラブは、約５６度のロフト角を有してもよく、それぞれが約０．０１１±．００５センチメートルの溝縁半径と、約０．０３５０±．００２５センチメートルの溝底幅、及び／又は、約２４±１度の溝側壁角をもつ、１つ以上の溝を有してもよい。また、ゴルフクラブヘッドのセットの第８のゴルフクラブヘッド及び／又はゴルフクラブのセットの少なくとも１つのゴルフクラブは、約５８度のロフト角を有してもよく、それぞれが約０．０１１±．００５センチメートルの溝縁半径と、約０．０３５０±．００２５センチメートルの溝底幅、及び／又は、約２４±１度の溝側壁角をもつ、１つ以上の溝を有してもよく、かつ／又は、ゴルフクラブヘッドのセットの第９のゴルフクラブヘッド及び／又はゴルフクラブのセットの少なくとも１つのゴルフクラブは、約６０度のロフト角を有してもよく、それぞれが約０．０１１±．００５センチメートルの溝縁半径と、約０．０３５０±．００２５センチメートルの溝底幅、及び／又は、約２４±１度の溝側壁角をもつ、１つ以上の溝を有してもよい。
【００８１】
上述のように、ゴルフクラブヘッド及び／又はゴルフクラブに打たれたゴルフボールに回転を加えることが望ましい場合がある。しかしながら、従来のゴルフクラブのセットにおいては、ロフト角が増加するにしたがって、ゴルフボールは、セットのゴルフクラブのゴルフクラブヘッドのフェース部で滑る傾向にあるため、ゴルフボールの回転は減少する。にもかかわらず、比較的高いロフト角（例えば、約４５度以上かつ／又は約６５度以下のロフト角、約５５度以上かつ／又は約６５度以下のロフト角）のゴルフクラブでゴルフボールを打つときで、さらに回転が望まれる場合がある。ロフト角が増加するにしたがって、溝縁半径（例えば、溝縁半径４４３（図４））を減少させ、溝底幅（例えば、溝底幅４４４（図４））を減少させ、溝側壁角（例えば、溝側壁角４４５（図４））を増加させ、及び／又はゴルフクラブのセットのゴルフクラブセット及び／又はゴルフクラブの溝のピッチを減少させることによって、ゴルフクラブヘッド及び／又はゴルフクラブで打たれるゴルフボールに加えられる回転量が増加させることができる。多くの実施形態では、溝縁半径は、ゴルフボールに加えられる回転に最も大きな影響を与え得る。
【００８２】
図面を進めて見てみると、図５−７は、ゴルフクラブで打たれたゴルフボールに加えられる回転量が、ゴルフクラブの溝縁半径とロフト角を変化させることでどのように変化するのかを示すのを手助けしている。例えば、図５は、アイアン・タイプのゴルフクラブヘッドのロフト角の関数として、約０．０１６５センチメートルの一定の溝縁半径の溝をもつ、アイアン・タイプのゴルフクラブヘッドによって、ゴルフボールに加えられる回転量を１分当たりの回転数で図示している。図５における（プレイヤーの使用試験で得られた）データは、ゴルフボールに加えられる回転量が約５４度のロフトにおいて最大回転数に至るまで、アイアン・タイプのゴルフクラブヘッドのロフト角にしたがって増加することを示す。しかしながら、約５５度以上のロフト角に対しては、回転数は、ロフト角が増加するにしたがって、減少する。
【００８３】
一方、図６は、短距離（約１０ヤード）及び長距離（約３０ヤード）のショットに対する、異なる溝縁半径を持つ約６０度のアイアン・タイプのゴルフクラブヘッドにおける、ゴルフボールに加えられる回転量を１分当たりの回転数として図示している。図６におけるデータは、溝縁半径を減少させると（約０．０１６５センチメートルから０．０１１４センチメートルまで）、高いロフトのアイアン・タイプのゴルフクラブヘッドにおいては回転を増加させる結果となった。全体として、回転量は、試験の条件（例えば、湿った芝、乾いた芝）に依存して、約１−３０パーセント増加した。
【００８４】
さらに、図７は、アイアン・タイプのゴルフクラブヘッドのロフト角及び溝縁半径の関数として、アイアン・タイプのゴルフクラブヘッドのセットに対する、ゴルフボールに加えられる回転量を１分当たりの回転数で図示している。ここでは、５５度未満のロフト角をもつアイアン・タイプのゴルフクラブヘッドの溝縁半径は、０．０１６５センチメートルであり、５５度より大きいロフト角をもつクラブの溝縁半径は、０．０１１４センチメートルである）。図７におけるデータは、５５度より大きいロフト角に対しては溝縁半径が減少すると、一定の溝縁半径を使用するときに比べ、平均１２．５パーセントまでゴルフボールに加えられる回転数が増加することを示す。
【００８５】
図８は、ゴルフクラブヘッドのセットを提供する（例えば、製造）方法８００の一実施形態を図示している。方法８００は、例示にすぎず、本明細書に提示する実施形態に限定されない。方法８００は、本明細書で明確に図示または説明していない多くの異なる実施形態または例で用いられてもよい。いくつかの実施形態では、方法８００の作業は、示された順序において実行されてもよい。他の実施形態では、方法８００の作業は、あらゆる他の適切な順序において実行されてもよい。また他の実施形態では、方法８００における１つ以上の作業は、統合されてもよく、又は、省略されてもよい。ゴルフクラブヘッドのセットは、クラブ・ヘッド１００（図１−３）に関して共に上述されたゴルフクラブヘッドのセットと類似又は同一であってもよい。一方、ゴルフクラブヘッドのセットの１つ以上のゴルフクラブヘッドは、クラブ・ヘッド１００（図１−３）と類似又は同一であってもよい。
【００８６】
多くの実施形態では、方法８００は、第１のゴルフクラブヘッドを提供する（例えば、形成する）作業８０１を含む。第１のゴルフクラブヘッドは、クラブ・ヘッド１００（図１）と類似又は同一であってもよい。したがって、多くの実施形態では、作業８０１を実行することは、第１のゴルフクラブヘッドの第１のクラブ・ヘッド本体を提供することを含んでもよい。さらに、第１のクラブ・ヘッド本体を提供することは、第１のクラブ・ヘッド本体の第１のクラブフェース部を提供することを含んでもよい。これら又は他の実施形態では、第１のクラブ・ヘッド本体は、クラブ・ヘッド本体１０７（図１）と類似又は同一であってもよく、第１のクラブフェース部は、フェース部１１０（図１）と類似又は同一であってもよい。いくつかの実施形態では、第１のゴルフクラブヘッドは、約４５度以上かつ約６５度以下の第１のクラブロフト角を有してもよい。他の実施形態では、第１のゴルフクラブヘッドは、約４５度以上かつ約５５度以下の第１のクラブロフト角を有してもよい。さらなる実施形態では、第１のゴルフクラブヘッドは、約５５度以上かつ約６５度以下の第１のクラブロフト角を有してもよい。
【００８７】
一方、図９は、図８の実施形態による、第１のゴルフクラブヘッドの第１のクラブ・ヘッド本体の第１のクラブフェース部を提供する（例えば、形成する）例示的作業９００を図示している。
【００８８】
例えば、作業９００は、第１のクラブフェース部の第１のクラブフェース面を提供する（例えば、形成する）作業９０１を含んでもよい。多くの実施形態では、第１のクラブフェース面は、フェース面１１４（図１）と類似又は同一であってもよい。
【００８９】
さらに、作業９００は、第１のフェース部の少なくとも１つの第１のクラブ溝を提供する（例えば、形成する）作業９０２を含んでもよい。多くの実施形態では、溝は、溝１１５（図１）及び／又は溝１２７（図１，４）と類似又は同一であってもよい。いくつかの実施形態では、ゴルフクラブヘッドの残りが、鋳造、鍛造、成型、又は別の方法で形成されるとき、ゴルフクラブフェースと少なくとも１つの第１のクラブ溝が、鋳造され、鍛造され、成型され、又は別の方法で形成されるときのように、作業９０１及び９０２は、互いに同時に実行される。他の実施形態では、作業９０１及び９０２は、ゴルフクラブヘッドの他の部分とともにゴルフクラブフェースが鋳造され、鍛造され、成型され、又は別の方法で形成されるが、溝は、他の部分の鋳造、鍛造、成型、又は他の形成工程の後に、ゴルフクラブフェース内に、機械加工、穿孔、レーザーカット、又は別の方法で形成されるように、連続的に実行される。図１０は、図８の実施形態による、例示的作業９０２を図示している。
【００９０】
例えば、多くの実施形態では、作業９０２は、第１のクラブ溝の第１のクラブ溝縁半径を提供する（例えば、形成する）作業１００１を含んでもよい。いくつかの実施形態では、第１のクラブ溝縁半径は、溝縁半径４４３（図４）に類似又は同一であってもよい。
【００９１】
多くの実施形態では、作業９０２は、第１のクラブ溝の第１のクラブ溝底幅を提供する（例えば、形成する）作業１００２を含んでもよい。いくつかの実施形態では、第１のクラブ溝底幅は、溝底幅４４４（図４）と類似又は同一であってもよい。
【００９２】
多くの実施形態では、作業９０２は、第１のクラブ溝の第１のクラブ溝側壁角を提供する（例えば、形成する）作業１００３を含んでもよい。いくつかの実施形態では、第１のクラブ溝側壁角は、溝側壁角４４５（図４）と類似又は同一であってもよい。
【００９３】
多くの実施形態では、手段９０２は、第１のクラブ溝の第１のクラブ溝フェード角を提供する（例えば、形成する）作業１００４を含んでもよい。いくつかの実施形態では、第１のクラブ溝フェード角は、溝フェード角４４６（図４）と類似又は同一であってもよい。
【００９４】
多くの実施形態では、作業９０２は、第１のクラブ溝の第１のクラブ溝深さを提供する（例えば、形成する）作業１００５を含んでもよい。いくつかの実施形態では、第１のクラブ溝深さは、溝深さ４４７（図４）と類似又は同一であってもよい。
【００９５】
多くの実施形態では、作業９０２は、第１のクラブ溝の第１のクラブ溝縁点深さを提供する（例えば、形成する）作業１００６を含んでもよい。いくつかの実施形態では、第１のクラブ溝縁点深さは、第１の溝縁点深さ４４８（図４）と類似又は同一であってもよい。
【００９６】
多くの実施形態では、作業９０２は、第１のクラブ溝の第１のクラブ溝縁点幅を提供すること（例えば、形成すること）の作業１００７を含んでもよい。いくつかの実施形態では、第１のクラブ溝縁点幅は、第１の溝縁点幅４４９（図４）と類似又は同一であってもよい。
【００９７】
いくつかの実施形態では、第１のクラブ溝が複数の溝を有するとき、作業９０２は、第１の溝の複数の溝のうち隣接する溝間の第１のクラブ溝ピッチを提供する（例えば、形成する）作業１００８を含んでもよい。いくつかの実施形態では、第１のクラブ溝ピッチは、クラブ・ヘッド１００に関して共に上述した溝ピッチと類似又は同一であってもよい。
【００９８】
いくつかの実施形態では、１つ以上の作業１００１−１００８は、１つ以上の作業１００１−１００８の他の作業とほぼ同時に実行されてもよい。他の実施形態では、１つ以上の作業１００１−１００８は、省略されてもよい。
【００９９】
図８に戻ると、方法８００は、第２のゴルフクラブヘッドを提供する（例えば、形成する）作業８０２を含んでもよい。第２のゴルフクラブヘッドは、クラブ・ヘッド１００（図１）と類似又は同一であってもよい。したがって、多くの実施形態では、作業８０２を実行することは、第２のゴルフクラブヘッドの第２のクラブ・ヘッド本体を提供することを含んでもよい。さらに、第２のクラブ・ヘッド本体を提供することは、第２のクラブ・ヘッド本体の第２のクラブフェース部を提供することを含んでもよい。これら又は他の実施形態では、第２のクラブ・ヘッド本体は、クラブ・ヘッド本体１０７（図１）と類似又は同一であってもよく、第２のクラブフェース部は、フェース部１１０（図１）と類似又は同一であってもよい。
【０１００】
いくつかの実施形態では、第２のゴルフクラブヘッドは、約４５度以上かつ約６５度以下の第２のクラブロフト角を有してもよい。さらなる実施形態では、第２のゴルフクラブヘッドは、約４５度以上かつ約５５度以下の第２のクラブロフト角を有してもよい。またさらなる実施形態では、第２のゴルフクラブヘッドは、約５５度以上かつ約６５度以下の第２のクラブロフト角を有してもよい。しかしながら、多くの実施形態では、第２のクラブロフト角は、第１のクラブロフト角よりも小さくてもよい。例えば、第２のゴルフクラブヘッドは、約４５又は５５度未満の第２のクラブロフト角を有してもよい。
【０１０１】
一方、図１１は、図８の実施形態における、第１のゴルフクラブヘッドの第２のクラブ・ヘッド本体の第２のクラブフェース部を提供する例示的作業１１００を図示している。
【０１０２】
例えば、作業１１００は、第２のクラブフェース部の第２のクラブフェース面を提供する（例えば、形成する）作業１１０１を含むことができる。多くの実施形態では、第２のクラブフェース面は、フェース面１１４（図１）と類似又は同一であってもよい。
【０１０３】
さらに、作業１１００は、第２のクラブフェース面の少なくとも１つの第２のクラブ溝を提供する（例えば、形成する）作業１１０２を含でもよい。多くの実施形態では、溝は、溝１１５（図１）及び／又は溝１２７（図１，４）と類似又は同一であってもよい。いくつかの実施形態では、ゴルフクラブヘッドの残りの部分が鋳造され、鍛造され、成型され、又は別の方法で形成されるとき、ゴルフクラブフェースと少なくとも１つの第１のクラブ溝が鋳造され、鍛造され、成型され、又は別の方法で形成されるように、作業１１０１及び１１０２は、互いに同時に実行されてもよい。他の実施形態では、ゴルフクラブヘッドの他の部分とともに、ゴルフクラブフェースが鋳造され、鍛造され、成型され、又は別の方法で形成されるが、溝は、鋳造、鍛造、成型、又は他の形成工程の後に、ゴルフクラブフェースに、機械加工、穿孔、レーザーカット、又は別の方法で形成されるように、作業１１０１及び１１０２は連続的に実行される。図１２は、図８の実施形態による例示的作業１１０２を図示している。
【０１０４】
例えば、多くの実施形態では、作業１１０２は、第２のクラブ溝の第２のクラブ溝縁半径を提供する（例えば、形成する）作業１２０１を含み得る。いくつかの実施形態では、第２のクラブ溝縁半径は、溝縁半径４４３（図４）と類似又は同一であってもよい。
【０１０５】
多くの実施形態では、作業１１０２は、第２のクラブ溝の第２のクラブ溝底幅を提供する（例えば、形成する）作業１２０２を含み得る。いくつかの実施形態では、第２のクラブ溝底幅は、溝底幅４４４（図４）と類似又は同一であってもよい。
【０１０６】
多くの実施形態では、作業１１０２は、第２のクラブ溝の第２のクラブ溝側壁角を提供すること（例えば、形成すること）の作業１２０３を含み得る。いくつかの実施形態では、第２のクラブ溝側壁角は、溝側壁角４４５（図４）と類似又は同一であってもよい。
【０１０７】
多くの実施形態では、作業１１０２は、第２の溝の第２のクラブ溝フェード角を提供する（例えば、形成する）作業１２０４を含み得る。いくつかの実施形態では、第２のクラブ溝フェード角は、溝フェード角４４６（図４）と類似又は同一であってもよい。
【０１０８】
多くの実施形態では、作業１１０２は、第２のクラブ溝の第２のクラブ溝深さを提供する（例えば、形成する）作業１２０５を含み得る。いくつかの実施形態では、第２のクラブ溝深さは、溝深さ４４７（図４）と類似又は同一であってもよい。
【０１０９】
多くの実施形態では、作業１１０２は、第２のクラブ溝の第２のクラブ溝縁点深さを提供する（例えば、形成する）作業１２０６を含み得る。いくつかの実施形態では、第２のクラブ溝縁点深さは、溝縁点深さ４４８（図４）と類似又は同一であってもよい。
【０１１０】
多くの実施形態では、作業１１０２は、第２のクラブ溝の第２のクラブ溝縁点幅を提供する（例えば、形成する）作業１２０７を含み得る。いくつかの実施形態では、第２のクラブ溝縁点幅は、溝縁点幅４４９（図４）と類似又は同一であってもよい。
【０１１１】
いくつかの実施形態では、第２のクラブ溝が複数の溝を有するとき、作業１１０２は、第２のクラブ溝の複数の溝の隣接する溝の間の第２のクラブ溝ピッチを提供する（例えば、形成する）作業１２０８を含み得る。いくつかの実施形態では、第２のクラブ溝ピッチは、クラブ・ヘッド１００（図１−３）に関して共に上述した溝ピッチと類似又は同一であってもよい。
【０１１２】
いくつかの実施形態では、１つ以上の作業１２０１−１２０８は、１つ以上の作業１２０１−１２０８の他の作業とほぼ同時に実行され得る。他の実施形態では、１つ以上の作業１２０１−１２０８は、省略してもよい。
【０１１３】
多くの実施形態では、第１のクラブ溝の第１のクラブ溝縁半径は、第２のクラブ溝の第２のクラブ溝縁半径よりも小さくしてもよい。さらに、第１のクラブ溝の第１のクラブ溝底幅は、第２のクラブ溝の第２のクラブ溝底幅よりも小さくされ得る。さらに、第１クラブ溝の第１クラブ溝側壁角は、第２クラブ溝の第２溝側壁角より大きくてもよい。また、いくつかの実施形態では、第１のクラブ溝ピッチは、第２のクラブ溝ピッチよりも小さくてもよい。
【０１１４】
一方、これら又は他の実施形態では、第１の溝深さは、第２の溝深さと同じであってもよく、第１の溝縁点幅は、第２の溝縁点幅と類似又は同一であってもよく、かつ／又は第１のクラブ溝ピッチに対する第１のクラブ溝の断面積の比は、第２のクラブ溝ピッチに対する第２のクラブ溝の断面積の比と同じであってもよい。
【０１１５】
多くの実施形態では、作業８０１，８０２，９０１，９０２，１００１−１００８，１１０１，１１０２及び１２０１−１２０８のうちの１つ以上の作業は、鋳造、成型、鍛造、機械加工、穿孔、レーザーカット等を含む１つ以上の冶金技術を用いて実行されてもよい。これら又は他の実施形態では、作業８０１，８０２，９０１，９０２，１００１−１００８，１１０１，１１０２及び１２０１−１２０８のうちの２つ以上の作業は、同じ冶金技術を用いて実行され、かつ／又は、作業８０１，８０２，９０１，９０２，１００１−１００８，１１０１，１１０２及び１２０１−１２０８のうちの２つ以上の作業は、異なる冶金技術を用いて実行されてもよい。
【０１１６】
以上、本明細書のゴルフクラブヘッド、および関連方法について、特定の実施形態に即して説明してきたが、本開示の趣旨または範囲から逸脱することなく、さまざまな変更が加えられ得る。例えば、図８の作業８０１及び８０２、図９の作業９０１及び９０２、作業１００１−１００８（図１０）、図１１の作業１１０１及び１１０２、ならびに作業１２０１−１２０８（図１２）が、多くの異なる作業から構成されてもよく、多くの異なるモジュールによって、多くの異なる順序で実施されてもよく、図１〜図８の任意の要素が修正されてもよいこと、ならびにこれらの実施形態のうちのいくつかについての先の議論が必ずしも、可能な全ての実施形態の完全な説明になっているとは限らないことが、当業者には、容易に明らかとなるであろう。
【０１１７】
さらに、上記の例は、アイアン・タイプのゴルフクラブヘッドに関連して説明されていることがあるが、本明細書で説明する用具、方法、および製品は、ウッド・タイプのゴルフクラブやパター・タイプのゴルフクラブなど、他のタイプのゴルフクラブに適用可能であってもよい。あるいは、本明細書で説明する用具、方法、および製品は、ホッケー・スティック、テニス・ラケット、釣り竿、スキー・ストック等のような、適用可能な他のタイプのスポーツ用品であってもよい。
【０１１８】
そのような変更その他のさらなる例が、先の説明の中で挙げられた。さまざまな図の特徴部のうちの１つまたは複数を有する異なる実施形態の他の置換えも、同様に企図される。したがって、本明細書の明細書、特許請求の範囲、および図面は、本開示の範囲を例示するためのものであり、限定するものではない。本出願の範囲は、添付の特許請求の範囲によって求められる範囲のみに限定されることが意図される。
【０１１９】
本明細書で論じたゴルフクラブヘッドおよび関連方法は、さまざまな実施形態において実行することができ、これらの実施形態のうちのいくつかについての先の議論は必ずしも、可能な全ての実施形態の完全な説明になっているとは限らない。そうではなく、図面の詳細な説明、および図面自体が、少なくとも１つの好ましい実施形態を開示し、また代替実施形態を開示することがある。
【０１２０】
一般的に、１つまたは複数の特許請求される要素の置換えは、修正ではなく再構成となる。加えて、利益、他の利点、および問題に対する解決策について、特定の実施形態に関して説明してきた。しかし、利益、利点、問題に対する解決策、および任意の利益、利点、または解決策を生じさせ、またはより顕著にさせることのできる１つまたは複数の任意の要素を、請求項のうちのいずれかまたは全ての、肝要な、必要な、または不可欠な特徴部または要素と解釈することは、そのような利益、利点、解決策、または要素がそのような請求項内に明示的に述べられていない限り、すべきではない。
【０１２１】
ゴルフのルールが時折変更し得る（例えば、米国ゴルフ協会（ＵＳＧＡ）、Ｒｏｙａｌ  ａｎｄ  Ａｎｃｉｅｎｔ  Ｇｏｌｆ  Ｃｌｕｂ  ｏｆ  Ｓｔ．Ａｎｄｒｅｗｓ（Ｒ＆Ａ）等の、ゴルフ標準組織および／または管理組織によって、新しい規定が採用され得るまたは古いルールが削除または修正され得る）ため、本明細書に記載の装置、方法、および製造物品に関連するゴルフ用品は、任意の特定の時間に、ルールに準拠するまたは準拠しないことがある。したがって、本明細書に記載する装置、方法、および製造物品に関連するゴルフ用品は、準拠または非準拠ゴルフ用品として、広告、売り出し、および／または販売され得る。本明細書に記載の装置、方法、および製造物品は、この点において限定されない。
【０１２２】
さらに、本明細書で開示された実施形態および限定は、実施形態および／または限定が、（１）請求項において明示的に請求されていない場合、および、（２）均等物の原則の下での請求項における明示的な要素および／もしくは限定である、または、そのような要素および／もしくは限定と潜在的に均等である場合、公有の原則において公衆に捧げられるものではない。
【図１】
2020121136.tif 000003
【図２】
2020121136.tif 000004
【図３】
2020121136.tif 000005
【図４】
2020121136.tif 000006
【図５】
2020121136.tif 000007
【図６】
2020121136.tif 000008
【図７】
2020121136.tif 000009
【図８】
2020121136.tif 000010
【図９】
2020121136.tif 000011
【図１０】
2020121136.tif 000012
【図１１】
2020121136.tif 000013
【図１２】
2020121136.tif 000014
【手続補正書】
【提出日】令和2年4月23日(2020.4.23)
【手続補正１】
【補正対象書類名】特許請求の範囲
【補正対象項目名】全文
【補正方法】変更
【補正の内容】
【特許請求の範囲】
【請求項１】
アイアン型ゴルフクラブヘッドのセットであって、前記セットは、
第１のゴルフクラブヘッドであって、
第１のクラブフェース部を有する第１のクラブ・ヘッド本体、
を備える、第１のゴルフクラブヘッドと、
第２のゴルフクラブヘッドであって、
第２のクラブフェース部を有する第２のクラブ・ヘッド本体、
を備える、第２のゴルフクラブヘッドと、
を備え、
前記第１のクラブフェース部は、第１のクラブフェース面と、少なくとも１つの第１のクラブ溝と、を有し、
前記第１のゴルフクラブヘッドは、５５度以上の第１のクラブロフト角を有し、
前記少なくとも１つの第１のクラブ溝の各第１のクラブ溝が、それぞれ、第１のクラブ溝底と、前記第１のクラブ溝底に隣接した第１のクラブ溝側壁と、第１のクラブ溝縁点と、前記第１のクラブ溝縁点における第１のクラブ溝縁半径と、前記第１のクラブ溝底に略垂直な第１のクラブ溝中心軸と、を有し、
前記第１のクラブ溝底が、第１の溝底幅を有し、
前記第１のクラブ溝側壁が、第１のクラブ溝側壁角を形成し、
前記第２のクラブフェース部は、第２のクラブフェース面と、少なくとも１つの第２のクラブ溝と、を有し、
前記第２のゴルフクラブヘッドが、４５度以上、且つ５５度未満の第２のクラブロフト角を有し、
前記少なくとも１つの第２のクラブ溝の各第２のクラブ溝が、それぞれ、第２のクラブ溝底と、前記第２のクラブ溝底に隣接した第２のクラブ溝側壁と、第２のクラブ溝縁点と、前記第２のクラブ溝縁点における第２のクラブ溝縁半径と、前記第２のクラブ溝底に略垂直な第２のクラブ溝中心軸と、を有し、
前記第２のクラブ溝底が、第２の溝底幅を有し、
前記第２のクラブ溝側壁が、第２のクラブ溝側壁角を形成し、
前記第１のクラブ溝縁半径が、前記第２のクラブ溝縁半径よりも小さく、
前記第１のクラブ溝底幅が、前記第２のクラブ溝底幅よりも小さく、
前記第１のクラブ溝底幅が０．０３５０±０．００２５センチメートルの範囲であり、
前記第２のクラブ溝底幅が０．０４１４±０．００２５センチメートルの範囲である、アイアン型ゴルフクラブヘッドのセット。
【請求項２】
前記第１のクラブ溝縁半径が、０．００７センチメートル以上かつ０．０１５センチメートル以下である、請求項１に記載のアイアン型ゴルフクラブヘッドのセット。
【請求項３】
前記第１のクラブ溝縁半径が、０．０１５センチメートル以上かつ０．０２６センチメートル以下である、請求項１に記載のアイアン型ゴルフクラブヘッドのセット。
【請求項４】
前記第１のクラブ溝側壁角が、２１度以上かつ２７度以下である、請求項１に記載のアイアン型ゴルフクラブヘッドのセット。
【請求項５】
前記第１のクラブ溝側壁角が、１３度以上かつ１９度以下である、請求項１に記載のアイアン型ゴルフクラブヘッドのセット。
【請求項６】
前記少なくとも１つの第１のクラブ溝の各第１のクラブ溝が、それぞれ、前記第１のクラブフェース面と前記第１のクラブ溝底の間で測定される第１のクラブ溝深さを有し、
前記少なくとも１つの第１のクラブ溝の各第１のクラブ溝の前記第１のクラブ溝深さが、それぞれ、ほぼ等しい、請求項１に記載のアイアン型ゴルフクラブヘッドのセット。
【請求項７】
前記第１のクラブ溝深さが、０．０４センチメートルである、請求項６に記載のアイアン型ゴルフクラブヘッドのセット。
【請求項８】
前記少なくとも１つの第１のクラブ溝の各第１のクラブ溝が、それぞれ、前記第１のクラブフェース面と前記第１のクラブ溝底の間で測定される第１のクラブ溝深さを有し、
前記少なくとも１つの第２のクラブ溝の各第２のクラブ溝が、それぞれ、前記第２のクラブフェース面と前記第２のクラブ溝底の間で測定される第２のクラブ溝深さを有し、
前記第１のクラブ溝深さが、前記第２のクラブ溝深さとほぼ等しい、請求項１に記載のアイアン型ゴルフクラブヘッドのセット。
【請求項９】
前記第１のクラブ溝深さが、０．０４センチメートルである、請求項８に記載のアイアン型ゴルフクラブヘッドのセット。
【請求項１０】
前記少なくとも１つの第１のクラブ溝の各第１のクラブ溝が、それぞれ、前記第１のクラブ溝中心軸に略平行に、かつ、前記第１のクラブ溝縁点と前記第１のクラブフェース面の間で測定される第１のクラブ溝縁点深さを有し、
前記第１のクラブ溝縁点深さが、０．００４センチメートルである、請求項１に記載のアイアン型ゴルフクラブヘッドのセット。
【請求項１１】
前記少なくとも１つの第１のクラブ溝の各第１のクラブ溝が、それぞれ、前記第１のクラブ溝中心軸に略垂直に、かつ、前記第１のクラブ溝縁点と前記第１のクラブ溝中心軸の間で測定される第１のクラブ溝縁点幅を有し、
前記第１のクラブ溝縁点幅が、０．０３７センチメートルである、請求項１に記載のアイアン型ゴルフクラブヘッドのセット。
【請求項１２】
前記少なくとも１つの第１のクラブ溝が、複数の第１のクラブ溝を有し、
前記複数の第１のクラブ溝の隣接する第１のクラブ溝の前記第１のクラブ溝中心軸が、０．３３０センチメートル以上かつ０．３４５センチメートル以下の間隔を空けられる、請求項１に記載のアイアン型ゴルフクラブヘッドのセット。
【請求項１３】
前記少なくとも１つの第１のクラブ溝が、複数の第１のクラブ溝を有し、
前記複数の第１のクラブ溝の隣接する第１のクラブ溝の前記第１のクラブ溝中心軸が、０．３４５センチメートル以上かつ０．３６６センチメートル以下の間隔を空けられる、請求項１に記載のアイアン型ゴルフクラブヘッドのセット。
【請求項１４】
前記第１のクラブロフト角が、６５度以下である、請求項１に記載のアイアン型ゴルフクラブヘッドのセット。
【請求項１５】
アイアン型ゴルフクラブヘッドのセットを提供する方法であって、前記方法は、
第１のゴルフクラブヘッドを提供することと、
第２のゴルフクラブヘッドを提供することと、
を備え、
前記第１のゴルフクラブヘッドを提供することが、前記第１のゴルフクラブヘッドの第１のクラブ・ヘッド本体を提供することを含み、
前記第１のクラブ・ヘッド本体を提供することが、前記第１のクラブ・ヘッド本体の第１のクラブフェース部を提供することを含み、
前記第１のクラブフェース部を提供することが、前記第１のクラブフェース部の第１のクラブフェース面と、前記第１のクラブフェース部の少なくとも１つの第１のクラブ溝を提供することを含み、
前記第１のゴルフクラブヘッドは、５５度以上かつ６５度以下の第１のクラブロフト角を有し、
前記少なくとも１つの第１のクラブ溝の各第１のクラブ溝が、それぞれ、第１のクラブ溝底と、前記第１のクラブ溝底に隣接した第１のクラブ溝側壁と、第１のクラブ溝縁点と、前記第１のクラブ溝縁点における第１のクラブ溝縁半径と、前記第１のクラブ溝底に略垂直な第１のクラブ溝中心軸を有し、
前記第１のクラブ溝底が、第１の溝底幅を有し、
前記第１のクラブ溝側壁が、第１のクラブ溝側壁角を形成し、
前記第２のゴルフクラブヘッドを提供することが、前記第２のゴルフクラブヘッドの第２のクラブ・ヘッド本体を提供することを含み、
前記第２のクラブ・ヘッド本体を提供することが、前記第２のクラブ・ヘッド本体の第２のクラブフェース部を提供することを含み、
前記第２のクラブフェース部を提供することが、前記第２のクラブフェース部の第２のクラブフェース面と、前記第２のクラブフェース部の少なくとも１つの第２のクラブ溝を提供することを含み、
前記第２のゴルフクラブヘッドは、４５度以上、且つ５５度未満の第２のクラブロフト角を有し、
前記少なくとも１つの第２のクラブ溝の各第２のクラブ溝が、それぞれ、第２のクラブ溝底と、前記第２のクラブ溝底に隣接した第２のクラブ溝側壁と、第２のクラブ溝縁点と、前記第２のクラブ溝縁点における第２のクラブ溝縁半径と、前記第２のクラブ溝底に略垂直な第２のクラブ溝中心軸を有し、
前記第２のクラブ溝底が、第２の溝底幅を有し、
前記第２のクラブ溝側壁が、第２のクラブ溝側壁角を形成し、
前記第１のクラブ溝縁半径が、前記第２のクラブ溝半径よりも小さく、
前記第１のクラブ溝底幅が、前記第２のクラブ溝底幅よりも小さく、
前記第１のクラブ溝底幅が０．０３５０±０．００２５センチメートルの範囲であり、
前記第２のクラブ溝底幅が０．０４１４±０．００２５センチメートルの範囲である、方法。
【請求項１６】
前記第１のクラブ溝縁半径が、０．００７センチメートル以上かつ０．０１５センチメートル以下である、請求項１５に記載の方法。
【請求項１７】
前記第１のクラブ溝縁半径が、０．００７センチメートル以上かつ０．０１５センチメートル以下であり、
前記第１のクラブ溝側壁角が、２１度以上かつ２７度以下である、請求項１５に記載の方法。
【請求項１８】
前記第１のクラブ溝側壁角が、２１度以上かつ２７度以下である、請求項１５に記載の方法。
【請求項１９】
前記第１のクラブ溝側壁角が、１３度以上かつ１９度以下である、請求項１５に記載の方法。
【請求項２０】
前記少なくとも１つの第１のクラブ溝の各第１のクラブ溝が、それぞれ、前記第１のクラブフェース面と前記第１のクラブ溝底の間で測定される第１のクラブ溝深さを有し、
前記少なくとも１つの第１のクラブ溝の各第１のクラブ溝の前記第１のクラブ溝深さが、それぞれ、ほぼ等しい、請求項１５に記載の方法。
【外国語明細書】
2020121136000001.pdf
2020121136000002.pdf
2020121136000003.pdf
2020121136000004.pdf